(57)【要約】  特定セルを形成するホーム基地局と、前記特定セルへのユーザ端末のハンドオーバを行うか否かを判断する基地局と、前記特定セルへのアクセス権について前記ユーザ端末の認証を行う移動管理装置と、を含む移動通信システムに適用される通信制御方法は、前記特定セルへの前記ハンドオーバを行うと前記基地局が判断する前において、前記ユーザ端末の認証を前記移動管理装置に要求するステップを有する。
2013137461.tif 000002
【特許請求の範囲】
【請求項１】
特定セルを形成するホーム基地局と、
前記特定セルへのユーザ端末のハンドオーバを行うか否かを判断する基地局と、
前記特定セルへのアクセス権について前記ユーザ端末の認証を行う移動管理装置と、
を含む移動通信システムに適用される通信制御方法であって、
前記特定セルへの前記ハンドオーバを行うと前記基地局が判断する前において、前記ユーザ端末の認証を前記移動管理装置に要求する要求ステップを有することを特徴とする通信制御方法。
【請求項２】
前記要求ステップにおいて、前記ユーザ端末の認証を前記基地局から前記移動管理装置に要求することを特徴とする請求項１に記載の通信制御方法。
【請求項３】
前記基地局が、前記移動管理装置から得られた認証結果を保持するステップをさらに有することを特徴とする請求項２に記載の通信制御方法。
【請求項４】
前記基地局が、前記ユーザ端末からの測定報告に基づいて前記特定セルへの前記ハンドオーバを行うと判断した場合で、かつ、前記移動管理装置から認証成功を示す認証結果が得られている場合に、ハンドオーバ要求を前記ホーム基地局に送信するステップをさらに有することを特徴とする請求項３に記載の通信制御方法。
【請求項５】
前記基地局が、前記ユーザ端末からの測定報告に基づいて前記特定セルへの前記ハンドオーバを行うと判断した場合で、かつ、前記移動管理装置から認証成功を示す認証結果が得られていない場合に、前記ユーザ端末の認証を前記移動管理装置に要求するステップをさらに有することを特徴とする請求項４に記載の通信制御方法。
【請求項６】
前記基地局が、前記ユーザ端末からの測定報告に基づいて前記特定セルへの前記ハンドオーバを行うと判断した場合に、前記移動管理装置からの認証結果に関する情報をハンドオーバ要求と共に前記ホーム基地局に送信するステップをさらに有することを特徴とする請求項３に記載の通信制御方法。
【請求項７】
前記ホーム基地局が、前記基地局からの前記認証結果に関する情報が認証成功を示すことに応じて、前記基地局からの前記ハンドオーバ要求を許可するステップをさらに有することを特徴とする請求項６に記載の通信制御方法。
【請求項８】
前記ホーム基地局が、前記基地局からの前記認証結果に関する情報が、認証成功を示す認証結果が得られていないことを示すことに応じて、前記ユーザ端末の認証を前記移動管理装置に要求するステップをさらに有することを特徴とする請求項６に記載の通信制御方法。
【請求項９】
前記要求ステップにおいて、前記ユーザ端末の認証を前記ホーム基地局から前記移動管理装置に要求することを特徴とする請求項１に記載の通信制御方法。
【請求項１０】
前記基地局が、前記特定セルへの前記ハンドオーバを行うと判断する前において、前記ユーザ端末から受信する測定報告に基づいて、前記特定セル及び前記ユーザ端末のそれぞれの情報を前記ホーム基地局に通知する通知ステップをさらに有し、
前記要求ステップにおいて、前記ホーム基地局は、前記基地局から通知された前記情報に基づいて、前記ユーザ端末の認証を前記移動管理装置に要求することを特徴とする請求項９に記載の通信制御方法。
【請求項１１】
前記ホーム基地局が、前記要求ステップでの要求に応じて前記移動管理装置から得られた認証結果を前記ホーム基地局で保持する保持ステップをさらに有することを特徴とする請求項９に記載の通信制御方法。
【請求項１２】
前記特定セルへの前記ハンドオーバを行うと前記基地局が判断した場合に、前記基地局から前記ホーム基地局にハンドオーバ要求を送信する送信ステップと、
前記ホーム基地局が、前記保持ステップで保持された前記認証結果に基づいて、前記基地局からの前記ハンドオーバ要求を許可するか否かを判断するステップと、
をさらに有することを特徴とする請求項１１に記載の通信制御方法。
【請求項１３】
前記移動通信システムは、前記ホーム基地局を管理するゲートウェイ装置をさらに含み、
前記要求ステップにおいて、前記ユーザ端末の認証を前記ゲートウェイ装置から前記移動管理装置に要求することを特徴とする請求項１に記載の通信制御方法。
【請求項１４】
前記基地局が、前記特定セルへの前記ハンドオーバを行うと判断する前において、前記ユーザ端末から受信する測定報告に基づいて、前記特定セル及び前記ユーザ端末のそれぞれの情報を前記ゲートウェイ装置に通知する通知ステップをさらに有し、
前記要求ステップにおいて、前記ゲートウェイ装置は、前記基地局から通知された前記情報に基づいて、前記ユーザ端末の認証を前記移動管理装置に要求することを特徴とする請求項１３に記載の通信制御方法。
【請求項１５】
前記ゲートウェイ装置が、前記要求ステップでの要求に応じて前記移動管理装置から得られた認証結果を保持する保持ステップをさらに有することを特徴とする請求項１３に記載の通信制御方法。
【請求項１６】
前記特定セルへの前記ハンドオーバを行うと前記基地局が判断した場合に、前記基地局から前記ゲートウェイ装置にハンドオーバ要求を送信する送信ステップと、
前記ゲートウェイ装置が、前記保持ステップで保持された前記認証結果に基づいて、前記基地局からの前記ハンドオーバ要求を許可するか否かを判断するステップと、
をさらに有することを特徴とする請求項１５に記載の通信制御方法。
【請求項１７】
特定セルを形成するホーム基地局と、前記特定セルへのアクセス権についてユーザ端末の認証を行う移動管理装置と、を含む移動通信システムにおいて、前記特定セルへの前記ユーザ端末のハンドオーバを行うか否かを判断する基地局であって、
前記特定セルへの前記ハンドオーバを行うと判断する前において、前記ユーザ端末の認証を前記移動管理装置に要求する制御を行う制御部を有することを特徴とする基地局。
【請求項１８】
特定セルへのユーザ端末のハンドオーバを行うか否かを判断する基地局と、前記特定セルへのアクセス権について前記ユーザ端末の認証を行う移動管理装置と、を含む移動通信システムにおいて、前記特定セルを形成するホーム基地局であって、
前記特定セルへの前記ハンドオーバを行うと前記基地局が判断する前において、前記ユーザ端末の認証を前記移動管理装置に要求する制御を行う制御部を有することを特徴とするホーム基地局。
【請求項１９】
特定セルを形成するホーム基地局と、前記特定セルへのアクセス権についてユーザ端末の認証を行う移動管理装置と、を含む移動通信システムにおいて、前記特定セルへの前記ユーザ端末のハンドオーバを行うか否かを判断する基地局であって、
前記特定セルへの前記ハンドオーバを行うと判断する前において、前記ユーザ端末から受信する測定報告に基づいて、前記特定セル及び前記ユーザ端末のそれぞれの情報を前記ホーム基地局に通知する制御を行う制御部を有し、
前記制御部によって通知される前記情報は、前記ホーム基地局において前記ユーザ端末の認証を前記移動管理装置に要求する際に使用されることを特徴とする基地局。
【請求項２０】
特定セルを形成するホーム基地局と、前記特定セルへのユーザ端末のハンドオーバを行うか否かを判断する基地局と、前記特定セルへのアクセス権について前記ユーザ端末の認証を行う移動管理装置と、を含む移動通信システムにおいて、前記ホーム基地局を管理するゲートウェイ装置であって、
前記特定セルへの前記ハンドオーバを行うと前記基地局が判断する前において、前記ユーザ端末の認証を前記移動管理装置に要求する制御を行う制御部を有することを特徴とするゲートウェイ装置。
【請求項２１】
特定セルを形成するホーム基地局と、前記特定セルへのアクセス権についてユーザ端末の認証を行う移動管理装置と、前記ホーム基地局を管理するゲートウェイ装置と、を含む移動通信システムにおいて、前記特定セルへの前記ユーザ端末のハンドオーバを行うか否かを判断する基地局であって、
前記特定セルへの前記ハンドオーバを行うと判断する前において、前記ユーザ端末から受信する測定報告に基づいて、前記特定セル及び前記ユーザ端末のそれぞれの情報を前記ゲートウェイ装置に通知する制御を行う制御部を有し、
前記制御部によって通知される前記情報は、前記ゲートウェイ装置において前記ユーザ端末の認証を前記移動管理装置に要求する際に使用されることを特徴とする基地局。
【発明の詳細な説明】
【技術分野】
【０００１】
本発明は、移動通信システムにおける通信制御方法、基地局、ホーム基地局及びゲートウェイ装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、住居や会社に設けられる小型基地局であるホーム基地局の仕様が策定されている（非特許文献１参照）。【０００３】
ホーム基地局は、ＣＳＧ（Ｃｌｏｓｅｄ  Ｓｕｂｓｃｒｉｂｅｒ  Ｇｒｏｕｐ）セル又はハイブリッドセルなどの特定セルを形成する。ＣＳＧセルは、アクセス権を有するユーザ端末（「ＣＳＧメンバー」と称される）のみがアクセス可能なセルである。ハイブリッドセルは、ＣＳＧメンバーでなくてもアクセス可能であるが、ＣＳＧメンバーが有利に取り扱われるセルである。【０００４】
なお、「セル」は、無線通信エリアの最小単位を示す用語として使用される他に、ユーザ端末との無線通信を行う機能を示す用語としても使用されることに留意すべきである。【０００５】
特定セルへのユーザ端末のハンドオーバ手順においては、コアネットワークに含まれる移動管理装置が、特定セルへのアクセス権についてユーザ端末の認証（アクセス制御）を行う。
【先行技術文献】
【非特許文献】
【０００６】
【非特許文献１】３ＧＰＰ技術仕様  「ＴＳ  ３６．３００  Ｖ１１．０．０」  ２０１１年１２月
【発明の概要】
【０００７】
しかしながら、ハンドオーバ手順の過程で移動管理装置がユーザ端末の認証を行う場合、コアネットワークを経由するハンドオーバ手順を行わざるを得なくなる。このため、ハンドオーバ手順に要する時間が長くなったり、コアネットワークのトラフィックが増加したりする問題がある。
【０００８】
そこで、本発明は、特定セルへのハンドオーバ手順を効率化することができる通信制御方法、基地局、ホーム基地局及びゲートウェイ装置を提供することを目的とする。
【０００９】
本発明の通信制御方法は、特定セルを形成するホーム基地局と、前記特定セルへのユーザ端末のハンドオーバを行うか否かを判断する基地局と、前記特定セルへのアクセス権について前記ユーザ端末の認証を行う移動管理装置と、を含む移動通信システムに適用される通信制御方法であって、前記特定セルへの前記ハンドオーバを行うと前記基地局が判断する前において、前記ユーザ端末の認証を前記移動管理装置に要求するステップを有することを特徴とする。
【図面の簡単な説明】
【００１０】
【図１】図１は、第１及び第２実施形態に係る移動通信システムの構成図である。
【図２】図２は、移動通信システムで使用される無線フレームの構成図である。
【図３】図３は、ＵＥのブロック図である。
【図４】図４は、ｅＮＢのブロック図である。
【図５】図５は、ＭＭＥのブロック図である。
【図６】図６は、ＨｅＮＢのブロック図である。
【図７】図７は、ＨｅＮＢ ＧＷのブロック図である。
【図８】図８は、第１実施形態に係るｅＮＢにおける事前認証の判定処理のフロー図である。
【図９】図９は、第１実施形態に係る動作シーケンス１のシーケンス図である。
【図１０】図１０は、第１実施形態に係る動作シーケンス２のシーケンス図である。
【図１１】図１１は、第１実施形態に係る動作シーケンス３のシーケンス図である。
【図１２】図１２は、第１実施形態に係る動作シーケンス４のシーケンス図である。
【図１３】図１３は、第２実施形態に係る移動通信システムの動作シーケンス図である。
【図１４】図１４は、第２実施形態に係るＨｅＮＢの動作フロー図である。
【図１５】図１５は、第３実施形態に係る移動通信システムの構成図である。
【図１６】図１６は、第３実施形態に係る移動通信システムの動作シーケンス図である。
【図１７】図１７は、第３実施形態に係るＨｅＮＢ ＧＷの動作フロー図である。
【発明を実施するための形態】
【００１１】
［実施形態の概要］
実施形態に係る通信制御方法は、特定セルを形成するホーム基地局と、前記特定セルへのユーザ端末のハンドオーバを行うか否かを判断する基地局と、前記特定セルへのアクセス権について前記ユーザ端末の認証を行う移動管理装置と、を含む移動通信システムに適用される通信制御方法であって、前記特定セルへの前記ハンドオーバを行うと前記基地局が判断する前において、前記ユーザ端末の認証を前記移動管理装置に要求するステップを有する。
【００１２】
このように、ハンドオーバ手順よりも前の段階で移動管理装置がユーザ端末の認証（以下、「事前認証」と称する）を行うことによって、ハンドオーバ手順の過程において、移動管理装置によるユーザ端末の認証を省略することができる。したがって、特定セルへのハンドオーバ手順を効率化することができる。
【００１３】
第１実施形態に係る通信制御方法は、前記特定セルへの前記ハンドオーバを行うと前記基地局が判断する前において、前記ユーザ端末の認証を前記基地局から前記移動管理装置に要求するステップを有する。
【００１４】
第１実施形態に係る通信制御方法は、前記通信制御方法は、前記基地局が、前記移動管理装置から得られた認証結果を保持するステップをさらに有する。
【００１５】
第１実施形態に係る通信制御方法は、前記通信制御方法は、前記基地局が、前記ユーザ端末からの測定報告に基づいて前記特定セルへの前記ハンドオーバを行うと判断した場合で、かつ、前記移動管理装置から認証成功を示す認証結果が得られている場合に、ハンドオーバ要求を前記ホーム基地局に送信するステップをさらに有する。
【００１６】
第１実施形態に係る通信制御方法は、前記基地局が、前記ユーザ端末からの測定報告に基づいて前記特定セルへの前記ハンドオーバを行うと判断した場合で、かつ、前記移動管理装置から認証成功を示す認証結果が得られていない場合に、前記ユーザ端末の認証を前記移動管理装置に要求するステップをさらに有する。
【００１７】
第１実施形態に係る通信制御方法は、前記基地局が、前記ユーザ端末からの測定報告に基づいて前記特定セルへの前記ハンドオーバを行うと判断した場合に、前記移動管理装置からの認証結果に関する情報をハンドオーバ要求と共に前記ホーム基地局に送信するステップをさらに有する。
【００１８】
第１実施形態に係る通信制御方法は、前記ホーム基地局が、前記基地局からの前記認証結果に関する情報が認証成功を示すことに応じて、前記基地局からの前記ハンドオーバ要求を許可するステップをさらに有する。
【００１９】
第１実施形態に係る通信制御方法は、前記ホーム基地局が、前記基地局からの前記認証結果に関する情報が、認証成功を示す認証結果が得られていないことを示すことに応じて、前記ユーザ端末の認証を前記移動管理装置に要求するステップをさらに有する。
【００２０】
第２実施形態に係る通信制御方法は、前記特定セルへの前記ハンドオーバを行うと前記基地局が判断する前において、前記ユーザ端末の認証を前記ホーム基地局から前記移動管理装置に要求する要求ステップを有する。
【００２１】
第２実施形態に係る通信制御方法は、前記基地局が、前記特定セルへの前記ハンドオーバを行うと判断する前において、前記ユーザ端末から受信する測定報告に基づいて、前記特定セル及び前記ユーザ端末のそれぞれの情報を前記ホーム基地局に通知する通知ステップをさらに有する。前記要求ステップにおいて、前記ホーム基地局は、前記基地局から通知された前記情報に基づいて、前記ユーザ端末の認証を前記移動管理装置に要求する。
【００２２】
このように、ハンドオーバ手順よりも前の段階で、事前認証に使用される情報をホーム基地局に通知することによって、ホーム基地局においてユーザ端末の認証を移動管理装置に適切に要求することができる。
【００２３】
第２実施形態に係る通信制御方法は、前記ホーム基地局が、前記要求ステップでの要求に応じて前記移動管理装置から得られた認証結果を前記ホーム基地局で保持する保持ステップをさらに有する。
【００２４】
第２実施形態に係る通信制御方法は、前記特定セルへの前記ハンドオーバを行うと前記基地局が判断した場合に、前記基地局から前記ホーム基地局にハンドオーバ要求を送信する送信ステップと、前記ホーム基地局が、前記保持ステップで保持された前記認証結果に基づいて、前記基地局からの前記ハンドオーバ要求を許可するか否かを判断するステップと、をさらに有する。
【００２５】
第３実施形態に係る通信制御方法は、特定セルを形成するホーム基地局と、前記特定セルへのユーザ端末のハンドオーバを行うか否かを判断する基地局と、前記特定セルへのアクセス権について前記ユーザ端末の認証を行う移動管理装置と、前記ホーム基地局を管理するゲートウェイ装置と、を含む移動通信システムに適用される。前記通信制御方法は、前記特定セルへの前記ハンドオーバを行うと前記基地局が判断する前において、前記ユーザ端末の認証を前記ゲートウェイ装置から前記移動管理装置に要求する要求ステップを有する。
【００２６】
第３実施形態に係る通信制御方法は、前記基地局が、前記特定セルへの前記ハンドオーバを行うと判断する前において、前記ユーザ端末から受信する測定報告に基づいて、前記特定セル及び前記ユーザ端末のそれぞれの情報を前記ゲートウェイ装置に通知する通知ステップをさらに有し、前記要求ステップにおいて、前記ゲートウェイ装置は、前記基地局から通知された前記情報に基づいて、前記ユーザ端末の認証を前記移動管理装置に要求する。
【００２７】
このように、ハンドオーバ手順よりも前の段階で、事前認証に必要な情報をゲートウェイ装置に通知することによって、ゲートウェイ装置においてユーザ端末の認証を移動管理装置に適切に要求することができる。
【００２８】
第３実施形態に係る通信制御方法は、前記ゲートウェイ装置が、前記要求ステップでの要求に応じて前記移動管理装置から得られた認証結果を保持する保持ステップをさらに有する。
【００２９】
第３実施形態に係る通信制御方法は、前記特定セルへの前記ハンドオーバを行うと前記基地局が判断した場合に、前記基地局から前記ゲートウェイ装置にハンドオーバ要求を送信する送信ステップと、前記ゲートウェイ装置が、前記保持ステップで保持された前記認証結果に基づいて、前記基地局からの前記ハンドオーバ要求を許可するか否かを判断するステップと、をさらに有する。
【００３０】
第１実施形態に係る基地局は、特定セルを形成するホーム基地局と、前記特定セルへのアクセス権についてユーザ端末の認証を行う移動管理装置と、を含む移動通信システムにおいて、前記特定セルへの前記ユーザ端末のハンドオーバを行うか否かを判断する。前記基地局は、前記特定セルへの前記ハンドオーバを行うと判断する前において、前記ユーザ端末の認証を前記移動管理装置に要求する制御を行う制御部を有する。
【００３１】
第２実施形態に係るホーム基地局は、特定セルへのユーザ端末のハンドオーバを行うか否かを判断する基地局と、前記特定セルへのアクセス権について前記ユーザ端末の認証を行う移動管理装置と、を含む移動通信システムにおいて、前記特定セルを形成する。前記ホーム基地局は、前記特定セルへの前記ハンドオーバを行うと前記基地局が判断する前において、前記ユーザ端末の認証を前記移動管理装置に要求する制御を行う制御部を有する。
【００３２】
第２実施形態に係る基地局は、特定セルを形成するホーム基地局と、前記特定セルへのアクセス権についてユーザ端末の認証を行う移動管理装置と、を含む移動通信システムにおいて、前記特定セルへの前記ユーザ端末のハンドオーバを行うか否かを判断する。前記基地局は、前記特定セルへの前記ハンドオーバを行うと判断する前において、前記ユーザ端末から受信する測定報告に基づいて、前記特定セル及び前記ユーザ端末のそれぞれの情報を前記ホーム基地局に通知する制御を行う制御部を有する。前記制御部によって通知される前記情報は、前記ホーム基地局において前記ユーザ端末の認証を前記移動管理装置に要求する際に使用される。
【００３３】
第３実施形態に係るゲートウェイ装置は、特定セルを形成するホーム基地局と、前記特定セルへのユーザ端末のハンドオーバを行うか否かを判断する基地局と、前記特定セルへのアクセス権について前記ユーザ端末の認証を行う移動管理装置と、を含む移動通信システムにおいて、前記ホーム基地局を管理する。前記ゲートウェイ装置は、前記特定セルへの前記ハンドオーバを行うと前記基地局が判断する前において、前記ユーザ端末の認証を前記移動管理装置に要求する制御を行う制御部を有する。
【００３４】
第３実施形態に係る基地局は、特定セルを形成するホーム基地局と、前記特定セルへのアクセス権についてユーザ端末の認証を行う移動管理装置と、前記ホーム基地局を管理するゲートウェイ装置と、を含む移動通信システムにおいて、前記特定セルへの前記ユーザ端末のハンドオーバを行うか否かを判断する。前記基地局は、前記特定セルへの前記ハンドオーバを行うと判断する前において、前記ユーザ端末から受信する測定報告に基づいて、前記特定セル及び前記ユーザ端末のそれぞれの情報を前記ゲートウェイ装置に通知する制御を行う制御部を有する。前記制御部によって通知される前記情報は、前記ゲートウェイ装置において前記ユーザ端末の認証を前記移動管理装置に要求する際に使用される。
【００３５】
［第１実施形態］
本実施形態においては、リリース１０以降の３ＧＰＰ規格（すなわち、ＬＴＥ  Ａｄｖａｎｃｅｄ）に基づいて構成される移動通信システムを例に説明する。
【００３６】
以下において、（１）移動通信システムの概要、（２）ブロック構成、（３）動作、（４）実施形態のまとめの順に説明する。
【００３７】
（１）移動通信システムの概要
図１は、本実施形態に係る移動通信システムの構成図である。図１に示すように、移動通信システムは、ユーザ端末（ＵＥ：Ｕｓｅｒ  Ｅｑｕｉｐｍｅｎｔ）１００と、基地局（ｅＮＢ：ｅｖｏｌｖｅｄ  Ｎｏｄｅ−Ｂ）２００と、移動管理装置（ＭＭＥ：Ｍｏｂｉｌｉｔｙ  Ｍａｎａｇｅｍｅｎｔ  Ｅｎｔｉｔｙ）３００と、ホーム基地局（ＨｅＮＢ：Ｈｏｍｅ  ｅｖｏｌｖｅｄ  Ｎｏｄｅ−Ｂ）４００と、ゲートウェイ装置（ＨｅＮＢ ＧＷ：Ｈｏｍｅ  ｅｖｏｌｖｅｄ  Ｎｏｄｅ−Ｂ  Ｇａｔｅｗａｙ）５００と、を有する。
【００３８】
ｅＮＢ２００、ＨｅＮＢ４００、及びＨｅＮＢ ＧＷ５００のそれぞれは、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０に含まれるネットワーク装置である。ＭＭＥ３００は、コアネットワーク（ＥＰＣ：Ｅｖｏｌｖｅｄ  Ｐａｃｋｅｔ  Ｃｏｒｅ）２０に含まれるネットワーク装置である。
【００３９】
ＵＥ１００は、ユーザが所持する移動型無線通信装置である。ＵＥ１００は、通信中の状態に相当する接続状態において、接続を確立したセル（「サービングセル」と称される）との無線通信を行う。
【００４０】
ＵＥ１００がユーザの移動に伴って移動する場合、ＵＥ１００のサービングセルの変更が必要になる。ＵＥ１００がＲＲＣ接続状態においてサービングセルを変更する動作は、「ハンドオーバ」と称される。ハンドオーバに係る一連の手順は、「ハンドオーバ手順」と称される。ハンドオーバ手順は、準備段階（Ｐｒｅｐａｒａｔｉｏｎ）と、実行段階（Ｅｘｅｃｕｔｉｏｎ）と、完了段階（Ｃｏｍｐｌｅｔｉｏｎ）と、を含む。
【００４１】
本実施形態では、ｅＮＢ２００のセルをサービングセルとするＵＥ１００は、ＨｅＮＢ４００のセルへ向けて移動しており、ｅＮＢ２００のセルからＨｅＮＢ４００のセルへのハンドオーバを行う。この場合、ハンドオーバ手順においてｅＮＢ２００のセルは「ソースセル」であり、ＨｅＮＢ４００のセルは「ターゲットセル」である。
【００４２】
ｅＮＢ２００は、マクロ基地局（ＭｅＮＢ）、ピコ基地局（ＰｅＮＢ）、又はホーム基地局（ＨｅＮＢ）である。本実施形態では、ｅＮＢ２００がＭｅＮＢである一例を想定して説明を進める。ｅＮＢ２００は、１又は複数のセルを形成する。ｅＮＢ２００は、ＵＥ１００との無線通信を行う。
【００４３】
ｅＮＢ２００は、自身のセル配下のＵＥ１００について、ハンドオーバの決定権を有する。詳細には、ｅＮＢ２００は、ＵＥ１００からの測定報告（Ｍｅａｓｕｒｅｍｅｎｔ  Ｒｅｐｏｒｔ）に基づいて、ＣＳＧセルへのＵＥ１００のハンドオーバを行うか否かを判断することができる。
【００４４】
ｅＮＢ２００は、ＥＰＣ２０との間の論理的な通信路であるＳ１インターフェイス上でＥＰＣ２０との通信を行う。詳細には、ｅＮＢ２００は、Ｓ１インターフェイスの一種であるＳ１−ＭＭＥインターフェイス上でＭＭＥ３００との通信を行う。さらに、ｅＮＢ２００は、隣接するＨｅＮＢ４００との間の論理的な通信路であるＸ２インターフェイス上で、当該隣接するＨｅＮＢ４００との基地局間通信を行うことができる。
【００４５】
ＭＭＥ３００は、制御情報を取り扱う制御プレーンに対応して設けられており、ＵＥ１００に対する各種モビリティ管理や認証処理などを行う。ＭＭＥ３００は、ＣＳＧセルへのアクセス権についてＵＥ１００の認証を行う。
【００４６】
ＣＳＧセルへの一般的なハンドオーバ手順は、Ｓ１インターフェイスを使用する。詳細には、ＭＭＥ３００は、ＵＥ１００の認証、詳細にはＵＥ１００が当該ＣＳＧセルのメンバーＵＥであるか否かの確認を行う。ＵＥ１００が当該ＣＳＧセルのメンバーＵＥであることが確認された場合（すなわち、認証成功の場合）、当該ＣＳＧセルへのＵＥ１００のハンドオーバが可能になる。これに対し、ＵＥ１００が当該ＣＳＧセルのメンバーＵＥであることが確認されない場合（すなわち、認証失敗の場合）、当該ＣＳＧセルへのＵＥ１００のハンドオーバは拒否される。
【００４７】
ＨｅＮＢ４００は、屋内に設置可能な小規模な固定型無線通信装置である。ＨｅＮＢ４００は、セルよりもカバー範囲が狭い特定セルを形成する。特定セルは、設定されるアクセスモードに応じて、「ＣＳＧセル」、「ハイブリッドセル」、又は「オープンセル」と称される。
【００４８】
ＣＳＧセルは、アクセス権を有するＵＥ１００（「メンバーＵＥ」と称される）のみがアクセス可能なセルであり、ＣＳＧ  ＩＤをブロードキャストする。ＵＥ１００は、自身がアクセス権を有するＣＳＧセルのＣＳＧ  ＩＤのリスト（「ホワイトリスト」と称される）を保持しており、当該ホワイトリストと、ＣＳＧセルがブロードキャストするＣＳＧ  ＩＤと、に基づいて、アクセス権の有無を判断する。
【００４９】
ハイブリッドセルは、メンバーＵＥが非メンバーＵＥよりも有利に取り扱われるセルであり、ＣＳＧ  ＩＤに加えて、非メンバーＵＥにも解放されたセルであることを示す情報をブロードキャストする。ＵＥ１００は、ホワイトリストと、ハイブリッドセルがブロードキャストするＣＳＧ  ＩＤと、に基づいて、アクセス権の有無を判断する。
【００５０】
このように、ＵＥ１００は、ホワイトリストに基づいてアクセス権の有無を確認するものの、更新が遅れることでホワイトリストが最新の状態ではないことがある。このため、ＭＭＥ３００においてＵＥ１００の認証を行うことで、アクセス権の有無をより確実に確認するようにしている。
【００５１】
オープンセルは、メンバーであるか否かを問わずＵＥ１００が同等に取り扱われるセルであり、ＣＳＧ  ＩＤをブロードキャストしない。ＵＥ１００の視点では、オープンセルはセルと同等である。
【００５２】
本実施形態では、ＨｅＮＢ４００のセル（特定セル）がＣＳＧセルである一例を想定して説明を進める。ただし、ＨｅＮＢ４００のセル（特定セル）は、ハイブリッドセルであってもよい。
【００５３】
ＨｅＮＢ４００は、Ｓ１インターフェイス（Ｓ１−ＭＭＥインターフェイス）上で、ＨｅＮＢ ＧＷ５００を介してＭＭＥ３００との通信を行う。ただし、ＨｅＮＢ４００は、ＨｅＮＢ ＧＷ５００を経由しないＳ１インターフェイスがＭＭＥ３００との間に確立されている場合には、ＨｅＮＢ ＧＷ５００を介さずにＭＭＥ３００と直接的に通信を行うこともできる。
【００５４】
ＨｅＮＢ４００は、Ｘ２インターフェイスによりｅＮＢ２００と接続されている。以下、Ｘ２インターフェイスによる接続を「Ｘ２接続」と適宜称する。
【００５５】
ＨｅＮＢ ＧＷ５００は、ＥＰＣ２０（ＭＭＥ３００）と複数のＨｅＮＢ４００との間で当該複数のＨｅＮＢ４００の集合を管理する。ＭＭＥ３００の視点では、ＨｅＮＢ ＧＷ５００はＨｅＮＢ４００と同等である。これに対し、ＨｅＮＢ４００の視点では、ＨｅＮＢ ＧＷ５００はＭＭＥ３００と同等である。ＨｅＮＢ ＧＷ５００は、複数のＨｅＮＢ４００を代表してＭＭＥ３００との通信を行うことで、ＭＭＥ３００と送受信すべきトラフィックを削減する。また、ＨｅＮＢ ＧＷ５００は、自身の管理下にある一のＨｅＮＢ４００から他のＨｅＮＢ４００へのデータを中継することもできる。
【００５６】
図２は、本実施形態に係る移動通信システム（ＬＴＥシステム）で使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を採用する。
【００５７】
図２に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。
【００５８】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用されるデータ領域である。
【００５９】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用されるデータ領域である。
【００６０】
（２）ブロック構成
以下において、ＵＥ１００、ｅＮＢ２００、ＭＭＥ３００、ＨｅＮＢ４００、及びＨｅＮＢ ＧＷ５００のそれぞれのブロック構成を説明する。
【００６１】
（２．１）ＵＥ
図３は、ＵＥ１００のブロック図である。図３に示すように、ＵＥ１００は、無線送受信部１１０と、記憶部１２０と、制御部１３０と、を含む。
【００６２】
無線送受信部１１０は、無線信号を送受信する。
【００６３】
記憶部１２０は、制御部１３０による制御に使用される各種情報を記憶する。記憶部１２０は、ホワイトリストを記憶する。また、記憶部１２０は、自身がアクセス権を有するＣＳＧセルの位置に関する位置情報（フィンガープリント情報）を記憶する。
【００６４】
制御部１３０は、ＵＥ１００の各種の機能を制御する。接続状態において、サービングセルとの無線通信を行うよう無線送受信部１１０を制御する。
【００６５】
制御部１３０は、ｅＮＢ２００のセルにおいて接続状態である際に、自身がアクセス権を有するＣＳＧセルの位置に関する位置情報（フィンガープリント情報）に基づいて、自身がアクセス権を有するＣＳＧセルの近傍に入ったことを検知すると、近接通知（Ｐｒｏｘｉｍｉｔｙ  Ｉｎｄｉｃａｔｉｏｎ）をｅＮＢ２００に送信するよう無線送受信部１１０を制御する。
【００６６】
当該近接通知に応じて、ＣＳＧセルに対する測定制御情報（Ｍｅａｓｕｒｅｍｅｎｔ  ｃｏｎｆｉｇｕｒａｔｉｏｎ）をｅＮＢ２００から無線送受信部１１０が受信すると、制御部１３０は、ＣＳＧセルの物理識別子（ＰＣＩ：Ｐｈｙｓｉｃａｌ  Ｃｅｌｌ  Ｉｄｅｎｔｉｆｉｅｒ）を含む測定報告をｅＮＢ２００に送信するよう無線送受信部１１０を制御する。
【００６７】
当該測定報告に応じて、報知情報（ＳＩ：Ｓｙｓｔｅｍ  Ｉｎｆｏｒｍａｔｉｏｎ）の取得を要求する要求情報（ＳＩ  request）をｅＮＢ２００から無線送受信部１１０が受信すると、制御部１３０は、ＣＳＧセルの報知情報を取得し、当該報知情報を含む測定報告をｅＮＢ２００に送信するよう無線送受信部１１０を制御する。当該測定報告は、ＣＳＧセルの識別子（ＣＧＩ：Ｃｅｌｌ  Ｇｌｏｂａｌ  Ｉｄｅｎｔｉｆｉｅｒ）、トラッキングエリア識別子（ＴＡＩ：Ｔｒａｃｋｉｎｇ  Ａｒｅａ  Ｉｄｅｎｔｉｆｉｅｒ）、ＣＳＧ  ＩＤ、及び、ＣＳＧメンバーであるか否かを示すステータス情報（Ｍｅｍｂｅｒｓｈｉｐ  ｓｔａｔｕｓ又はＭｅｍｂｅｒ  Ｉｎｄｉｃａｔｉｏｎ）を含む。
【００６８】
その後、ＣＳＧセルへのハンドオーバ指示（Ｈ．Ｏ．  Ｃｏｍｍａｎｄ）をｅＮＢ２００から無線送受信部１１０が受信すると、制御部１３０は、ＣＳＧセルとの接続（ＲＲＣコネクション）を確立する処理を開始する。
【００６９】
（２．２）ｅＮＢ
図４は、ｅＮＢ２００のブロック図である。図４に示すように、ｅＮＢ２００は、無線送受信部２１０と、ネットワーク通信部２２０と、記憶部２３０と、制御部２４０と、を含む。
【００７０】
無線送受信部２１０は、無線信号を送受信する。また、無線送受信部２１０は、１又は複数のセルを形成する。
【００７１】
ネットワーク通信部２２０は、Ｓ１インターフェイス上でＭＭＥ３００との通信を行う。ネットワーク通信部２２０は、Ｘ２インターフェイス上でＨｅＮＢ４００との基地局間通信を行う。
【００７２】
記憶部２３０は、制御部２４０による制御に使用される各種情報を記憶する。
【００７３】
制御部２４０は、ｅＮＢ２００の各種の機能を制御する。
【００７４】
配下のＵＥ１００からの近接通知（Ｐｒｏｘｉｍｉｔｙ  Ｉｎｄｉｃａｔｉｏｎ）を無線送受信部２１０が受信すると、制御部２４０は、ＣＳＧセルに対する測定を指示するための測定制御情報（Ｍｅａｓｕｒｅｍｅｎｔ  ｃｏｎｆｉｇｕｒａｔｉｏｎ）をＵＥ１００に送信するよう無線送受信部２１０を制御する。
【００７５】
当該測定制御情報に応じて、ＣＳＧセルの物理識別子（ＰＣＩ：Ｐｈｙｓｉｃａｌ  Ｃｅｌｌ  Ｉｄｅｎｔｉｆｉｅｒ）を含む測定報告をＵＥ１００から無線送受信部２１０が受信すると、制御部２４０は、当該ＣＳＧセルの報知情報（ＳＩ：Ｓｙｓｔｅｍ  Ｉｎｆｏｒｍａｔｉｏｎ）の取得を要求する要求情報（ＳＩ  request）をＵＥ１００に送信するよう無線送受信部２１０を制御する。
【００７６】
当該要求情報に応じて、ＣＳＧセルの報知情報を含む測定報告をＵＥ１００から無線送受信部２１０が受信すると、制御部２４０は、当該測定報告に基づいて、当該ＣＳＧセルへのＵＥ１００のハンドオーバを行うか否かを判断する。
【００７７】
本実施形態では、制御部２４０は、ＣＳＧセルへのハンドオーバを行うと判断する前において、ＵＥ１００の認証（事前認証）をＭＭＥ３００に要求するようネットワーク通信部２２０を制御する。詳細には、ＵＥ１００の認証要求（ＣＳＧ  ｖｅｒｉｆｉｃａｔｉｏｎ  ｒｅｑｕｅｓｔ）をＭＭＥ３００に送信するようネットワーク通信部３１０を制御する。認証要求は、当該ＣＳＧセルのＣＳＧ  ＩＤ及びＵＥ１００の識別情報を含む。
【００７８】
認証要求に応じて、認証結果（ＣＳＧ  ｖｅｒｉｆｉｃａｔｉｏｎ  Ａｃｋ／Ｎａｃｋ）をＭＭＥ３００からネットワーク通信部２２０が受信すると、制御部３３０は、当該認証結果を記憶（保持）するよう記憶部２３０を制御する。
【００７９】
制御部３３０は、このようにして得られた事前認証の結果をＣＳＧセルへのハンドオーバ手順に使用する。ハンドオーバ手順の詳細については後述する。
【００８０】
（２．３）ＭＭＥ
図５は、ＭＭＥ３００のブロック図である。図５に示すように、ＭＭＥ３００は、ネットワーク通信部３１０と、記憶部３２０と、制御部３３０と、を含む。
【００８１】
ネットワーク通信部３１０は、Ｓ１インターフェイス上でｅＮＢ２００及びＨｅＮＢ ＧＷ５００との通信を行う。
【００８２】
記憶部３２０は、制御部３３０による制御に使用される各種情報を記憶する。記憶部３２０は、ＵＥ１００のアクセス権に関するＣＳＧ加入者情報（ＣＳＧ  Ｓｕｂｓｃｒｉｐｔｉｏｎ  Ｄａｔａ）を記憶する。ＣＳＧ加入者情報は、ＵＥ１００の識別子と、当該ＵＥ１００がアクセス権を有する各ＣＳＧセルのＣＳＧ  ＩＤとを対応付けたものである。
【００８３】
制御部３３０は、ＭＭＥ３００の各種の機能を制御する。
【００８４】
ＵＥ１００の認証要求（ＣＳＧ  ｖｅｒｉｆｉｃａｔｉｏｎ  ｒｅｑｕｅｓｔ）をネットワーク通信部３１０が受信すると、制御部３３０は、当該認証要求に含まれるＣＳＧ  ＩＤ及びＵＥ１００の識別情報と、記憶部３２０に記憶されているＣＳＧ加入者情報とに基づいて、当該ＵＥ１００の認証を行う。
【００８５】
認証要求に含まれるＣＳＧ  ＩＤ及びＵＥ１００の識別情報がＣＳＧ加入者情報において対応付けられている場合、制御部３３０は、認証成功と判断し、認証成功を示す応答（ＣＳＧ  ｖｅｒｉｆｉｃａｔｉｏｎ  Ａｃｋ）を送信するようネットワーク通信部３１０を制御する。
【００８６】
一方、認証要求に含まれるＣＳＧ  ＩＤ及びＵＥ１００の識別情報がＣＳＧ加入者情報において対応付けられていない場合、制御部３３０は、認証失敗と判断し、認証失敗を示す応答（ＣＳＧ  ｖｅｒｉｆｉｃａｔｉｏｎ  Ｎａｃｋ）を送信するようネットワーク通信部３１０を制御する。
【００８７】
（２．４）ＨｅＮＢ
図６は、ＨｅＮＢ４００のブロック図である。図６に示すように、ＨｅＮＢ４００は、無線送受信部４１０と、ネットワーク通信部４２０と、記憶部４３０と、制御部４４０と、を含む。
【００８８】
無線送受信部４１０は、無線信号を送受信する。本実施形態では、無線送受信部４１０は、ＣＳＧセルを形成する。
【００８９】
ネットワーク通信部４２０は、Ｓ１インターフェイス上で、ＨｅＮＢ ＧＷ５００を介してＭＭＥ３００との通信を行う。ネットワーク通信部４２０は、Ｘ２インターフェイス上でｅＮＢ２００との基地局間通信を行う。
【００９０】
記憶部４３０は、制御部４４０による制御に使用される各種情報を記憶する。
【００９１】
制御部４４０は、ＨｅＮＢ４００の各種の機能を制御する。制御部４４０は、ＣＳＧセルへのハンドオーバ手順に係る制御を行う。ハンドオーバ手順の詳細については後述する。
【００９２】
（２．５）ＨｅＮＢ ＧＷ
図７は、ＨｅＮＢ ＧＷ５００のブロック図である。図７に示すように、ＨｅＮＢ ＧＷ５００は、ネットワーク通信部５１０と、記憶部５２０と、制御部５３０と、を含む。
【００９３】
ネットワーク通信部５１０は、Ｓ１インターフェイス上でＭＭＥ３００及びＨｅＮＢ４００との通信を行う。
【００９４】
記憶部５２０は、制御部５３０による制御に使用される各種情報を記憶する。記憶部５２０には、ＨｅＮＢ ＧＷ５００の管理下にあるＨｅＮＢ４００が登録されている。
【００９５】
制御部５３０は、ＨｅＮＢ ＧＷ５００の各種の機能を制御する。制御部５３０は、複数のＨｅＮＢ４００の集合を管理する。制御部５３０は、複数のＨｅＮＢ４００を代表してＭＭＥ３００との通信を行うようネットワーク通信部５１０を制御する。
【００９６】
（３）動作
以下において、本実施形態に係る移動通信システムの動作を説明する。
【００９７】
（３．１）ｅＮＢにおける事前認証の判定処理
図８は、ｅＮＢ２００における事前認証の判定処理のフロー図である。
【００９８】
図８に示すように、ステップＳ１１において、ｅＮＢ２００は、ＵＥ１００からの測定報告（Ｍｅａｓｕｒｅｍｅｎｔ  Ｒｅｐｏｒｔ）を受信する。
【００９９】
ステップＳ１２において、ｅＮＢ２００は、ＵＥ１００からの測定報告に基づいて、ＵＥ１００のハンドオーバを行うか否かを判断する。ＵＥ１００のハンドオーバを行うと判断した場合（ステップＳ１２；ＹＥＳ）、ステップＳ１３において、ｅＮＢ２００は、ＵＥ１００のハンドオーバを実施する。
【０１００】
ＵＥ１００のハンドオーバを行わないと判断した場合（ステップＳ１２；ＮＯ）、ステップＳ１４において、ｅＮＢ２００は、ＵＥ１００からの測定報告にＣＳＧセルのＩＤ（CSG  ID）が含まれているか否かを確認する。ＵＥ１００からの測定報告にＣＳＧセルのＩＤが含まれていない場合（ステップＳ１４；ＮＯ）、ｅＮＢ２００は、ＵＥ１００の事前認証を実施しない（ステップＳ１５）。
【０１０１】
ＵＥ１００からの測定報告にＣＳＧセルのＩＤが含まれている場合（ステップＳ１４；ＹＥＳ）、ステップＳ１６において、ｅＮＢ２００は、当該ＣＳＧセルを形成するＨｅＮＢ４００とのＸ２接続を有しているか否かを確認する。当該ＣＳＧセルを形成するＨｅＮＢ４００とのＸ２接続を有していない場合（ステップＳ１６；ＮＯ）、ｅＮＢ２００は、ＵＥ１００の事前認証を実施しない（ステップＳ１５）。
【０１０２】
当該ＣＳＧセルを形成するＨｅＮＢ４００とのＸ２接続を有している場合（ステップＳ１６；ＹＥＳ）、ステップＳ１７において、ｅＮＢ２００は、ＵＥ１００の事前認証を未だ実施していないか否かを確認する。ＵＥ１００の事前認証を既に実施している場合（ステップＳ１７；ＮＯ）、ｅＮＢ２００は、ＵＥ１００の事前認証を実施しない（ステップＳ１５）。
【０１０３】
ＵＥ１００の事前認証を未だ実施していない場合（ステップＳ１７；ＹＥＳ）、ステップＳ１８において、ｅＮＢ２００は、事前認証を行うべきＣＳＧ  ＩＤを特定するとともに、ＵＥ１００の認証要求（ＣＳＧ  ｖｅｒｉｆｉｃａｔｉｏｎ  ｒｅｑｕｅｓｔ）をＭＭＥ３００に送信する。
【０１０４】
（３．２）動作シーケンス１
次に、移動通信システムの動作シーケンス１を説明する。図９は、動作シーケンス１のシーケンス図である。
【０１０５】
図９に示すように、ステップＳ１０１において、ＵＥ１００は、ＨｅＮＢ４００からの報知情報をＢＣＣＨ（Ｂｒｏａｄｃａｓｔ  Ｃｏｎｔｒｏｌ  Ｃｈａｎｎｅｌ）上で受信する。報知情報は、ＣＧＩ、ＴＡＩ、及びＣＳＧ  ＩＤを含む。
【０１０６】
ステップＳ１０２において、ＵＥ１００は、ＣＧＩ、ＴＡＩ、ＣＳＧ  ＩＤ、及びＭｅｍｂｅｒｓｈｉｐ  ｓｔａｔｕｓを含む測定報告をｅＮＢ２００に送信する。
【０１０７】
ステップＳ１０３において、ｅＮＢ２００は、図８のフローにより、事前認証を実施すると判断する。
【０１０８】
ステップＳ１０４において、ｅＮＢ２００は、ＵＥ１００の認証要求（ＣＳＧ  ｖｅｒｉｆｉｃａｔｉｏｎ  ｒｅｑｕｅｓｔ）をＳ１インターフェイス上でＭＭＥ３００に送信する。認証要求は、当該ＣＳＧセルのＣＳＧ  ＩＤ及びＵＥ１００の識別情報を含む。
【０１０９】
ステップＳ１０５において、ＭＭＥ３００は、認証結果を示す応答（ＣＳＧ  ｖｅｒｉｆｉｃａｔｉｏｎ  ｒｅｓｐｏｎｓｅ）をＳ１インターフェイス上でｅＮＢ２００に送信する。ここでは、当該応答が認証成功（Ａｃｋ）を示すと仮定して説明を進める。
【０１１０】
ステップＳ１０６において、ｅＮＢ２００は、ＭＭＥ３００から当該応答を受信し、ＭＭＥ３００による認証の結果を記憶する。
【０１１１】
ステップＳ１０７において、ＵＥ１００は、ＨｅＮＢ４００からの報知情報をＢＣＣＨ上で受信する。報知情報は、ＣＧＩ、ＴＡＩ、及びＣＳＧ  ＩＤを含む。
【０１１２】
ステップＳ１０８において、ＵＥ１００は、ＣＧＩ、ＴＡＩ、ＣＳＧ  ＩＤ、及びＭｅｍｂｅｒｓｈｉｐ  ｓｔａｔｕｓを含む測定報告をｅＮＢ２００に送信する。
【０１１３】
ステップＳ１０９において、ｅＮＢ２００は、図８のフローにより、ＣＳＧセルへのＵＥ１００のハンドオーバを行うと判断する。ＵＥ１００のハンドオーバを行うと判断した時点から、ハンドオーバ手順における準備段階（Ｐｒｅｐａｒａｔｉｏｎ）が開始する。
【０１１４】
ステップＳ１１０において、ｅＮＢ２００は、ステップＳ１０６で記憶した認証結果が認証成功（Ａｃｋ）を示すことを確認する。
【０１１５】
ステップＳ１１１において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。当該ハンドオーバ要求は、Ｍｅｍｂｅｒｓｈｉｐ  ｓｔａｔｕｓを含む。
【０１１６】
このように、ｅＮＢ２００は、ＵＥ１００からの測定報告に基づいてＣＳＧセルへのハンドオーバを行うと判断した場合で、かつ、ＭＭＥ３００から認証成功（Ａｃｋ）を示す認証結果が得られている場合に、ハンドオーバ要求をＨｅＮＢ４００に送信する。
【０１１７】
ＨｅＮＢ４００は、ｅＮＢ２００からのハンドオーバ要求をＸ２インターフェイス上で受信すると、当該ハンドオーバ要求に基づいて、当該ハンドオーバ要求を許可するか否かを判断する。ここでは、当該ハンドオーバ要求を許可すると仮定して説明を進める。
【０１１８】
ステップＳ１１２において、ＨｅＮＢ４００は、ハンドオーバ要求に対する肯定応答（Ｈ．Ｏ．  Ｒｅｑｕｅｓｔ  Ａｃｋ）をＸ２インターフェイス上でｅＮＢ２００に送信する。
【０１１９】
ステップＳ１１３において、ｅＮＢ２００は、ＨｅＮＢ４００から肯定応答を受信したことに応じて、ＣＳＧセルへのハンドオーバの指示（Ｈ．Ｏ．  Ｃｏｍｍａｎｄ）をＵＥ１００に送信する。
【０１２０】
（３．３）動作シーケンス２
次に、移動通信システムの動作シーケンス２を説明する。本シーケンスは、動作シーケンス１と同様のシーケンスであるが、事前認証を行う前に、ＣＳＧセルへのハンドオーバを行うと判断されたケースを説明する。図１０は、動作シーケンス２のシーケンス図である。
【０１２１】
図１０に示すように、動作シーケンス２では、ステップＳ１５１からステップＳ１５６が行われずに、ＣＳＧセルへのハンドオーバを行うと判断される。よって、ステップＳ１５７以降の動作を説明する。
【０１２２】
ステップＳ１５７において、ＵＥ１００は、ＨｅＮＢ４００からの報知情報をＢＣＣＨ上で受信する。報知情報は、ＣＧＩ、ＴＡＩ、及びＣＳＧ  ＩＤを含む。
【０１２３】
ステップＳ１５８において、ＵＥ１００は、ＣＧＩ、ＴＡＩ、ＣＳＧ  ＩＤ、及びＭｅｍｂｅｒｓｈｉｐ  ｓｔａｔｕｓを含む測定報告をｅＮＢ２００に送信する。
【０１２４】
ステップＳ１５９において、ｅＮＢ２００は、図８のフローにより、ＣＳＧセルへのＵＥ１００のハンドオーバを行うと判断する。
【０１２５】
ステップＳ１６０において、ｅＮＢ２００は、事前認証が実施されていないことを確認する。
【０１２６】
ステップＳ１６１において、ｅＮＢ２００は、ＵＥ１００の認証要求（ＣＳＧ  ｖｅｒｉｆｉｃａｔｉｏｎ  ｒｅｑｕｅｓｔ）をＳ１インターフェイス上でＭＭＥ３００に送信する。認証要求は、当該ＣＳＧセルのＣＳＧ  ＩＤ及びＵＥ１００の識別情報を含む。
【０１２７】
このように、動作シーケンス２では、ｅＮＢ２００は、ＵＥ１００からの測定報告に基づいてＣＳＧセルへのハンドオーバを行うと判断した場合で、かつ、ＭＭＥ３００から認証成功を示す認証結果が得られていない場合に、ＵＥ１００の認証をＭＭＥ３００に要求する。
【０１２８】
ステップＳ１６２において、ＭＭＥ３００は、認証結果を示す応答（ＣＳＧ  ｖｅｒｉｆｉｃａｔｉｏｎ  ｒｅｓｐｏｎｓｅ）をＳ１インターフェイス上でｅＮＢ２００に送信する。ここでは、当該応答が認証成功（Ａｃｋ）を示すと仮定して説明を進める。
【０１２９】
ステップＳ１６３において、ｅＮＢ２００は、認証成功（Ａｃｋ）に応じて、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。当該ハンドオーバ要求は、Ｍｅｍｂｅｒｓｈｉｐ  ｓｔａｔｕｓを含む。
【０１３０】
ＨｅＮＢ４００は、ｅＮＢ２００からのハンドオーバ要求をＸ２インターフェイス上で受信すると、当該ハンドオーバ要求に基づいて、当該ハンドオーバ要求を許可するか否かを判断する。ここでは、当該ハンドオーバ要求を許可すると仮定して説明を進める。
【０１３１】
ステップＳ１６４において、ＨｅＮＢ４００は、ハンドオーバ要求に対する肯定応答（Ｈ．Ｏ．  Ｒｅｑｕｅｓｔ  Ａｃｋ）をＸ２インターフェイス上でｅＮＢ２００に送信する。
【０１３２】
ステップＳ１６５において、ｅＮＢ２００は、ＨｅＮＢ４００から肯定応答を受信したことに応じて、ＣＳＧセルへのハンドオーバの指示（Ｈ．Ｏ．  Ｃｏｍｍａｎｄ）をＵＥ１００に送信する。
【０１３３】
（３．４）動作シーケンス３
次に、移動通信システムの動作シーケンス３を説明する。本シーケンスでは、動作シーケンス１及び２とは異なり、ハンドオーバ要求と共に認証結果をＨｅＮＢ４００に送信し、ＨｅＮＢ４００は当該認証結果に基づいて当該ハンドオーバ要求の可否を判断する。図１１は、動作シーケンス３のシーケンス図である。
【０１３４】
図１１に示すように、ステップＳ２０１において、ＵＥ１００は、ＨｅＮＢ４００からの報知情報をＢＣＣＨ上で受信する。報知情報は、ＣＧＩ、ＴＡＩ、及びＣＳＧ  ＩＤを含む。
【０１３５】
ステップＳ２０２において、ＵＥ１００は、ＣＧＩ、ＴＡＩ、ＣＳＧ  ＩＤ、及びＭｅｍｂｅｒｓｈｉｐ  ｓｔａｔｕｓを含む測定報告をｅＮＢ２００に送信する。
【０１３６】
ステップＳ２０３において、ｅＮＢ２００は、図８のフローにより、事前認証を実施すると判断する。
【０１３７】
ステップＳ２０４において、ｅＮＢ２００は、ＵＥ１００の認証要求（ＣＳＧ  ｖｅｒｉｆｉｃａｔｉｏｎ  ｒｅｑｕｅｓｔ）をＳ１インターフェイス上でＭＭＥ３００に送信する。認証要求は、当該ＣＳＧセルのＣＳG  ＩＤ及びＵＥ１００の識別情報を含む。
【０１３８】
ステップＳ２０５において、ＭＭＥ３００は、認証結果を示す応答（ＣＳＧ  ｖｅｒｉｆｉｃａｔｉｏｎ  ｒｅｓｐｏｎｓｅ）をＳ１インターフェイス上でｅＮＢ２００に送信する。
【０１３９】
ステップＳ２０６において、ｅＮＢ２００は、ＭＭＥ３００から当該応答を受信し、ＭＭＥ３００による認証の結果を記憶する。
【０１４０】
ステップＳ２０７において、ＵＥ１００は、ＨｅＮＢ４００からの報知情報をＢＣＣＨ上で受信する。報知情報は、ＣＧＩ、ＴＡＩ、及びＣＳＧ  ＩＤを含む。
【０１４１】
ステップＳ２０８において、ＵＥ１００は、ＣＧＩ、ＴＡＩ、ＣＳＧ  ＩＤ、及びＭｅｍｂｅｒｓｈｉｐ  ｓｔａｔｕｓを含む測定報告をｅＮＢ２００に送信する。
【０１４２】
ステップＳ２０９において、ｅＮＢ２００は、図８のフローにより、ＣＳＧセルへのＵＥ１００のハンドオーバを行うと判断する。
【０１４３】
ステップＳ２１０において、ｅＮＢ２００は、ステップＳ２０６で認証結果を記憶していることを確認する。
【０１４４】
ステップＳ２１１において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。当該ハンドオーバ要求は、Ｍｅｍｂｅｒｓｈｉｐ  ｓｔａｔｕｓと、ＭＭＥ３００からの認証結果に関する情報（ＣＳＧ  Confirｍｅｄ  Ｉｎｆｏｒｍａｔｉｏｎ）を含む。当該認証結果に関する情報は、例えば、認証成功（Ａｃｋ）を示す認証結果が得られているか（Ｃｏｎｆｉｒｍｅｄ）否かを示す。
【０１４５】
このように、ｅＮＢ２００は、ＵＥ１００からの測定報告に基づいてＣＳＧセルへのハンドオーバを行うと判断した場合に、ＭＭＥ３００からの認証結果に関する情報をハンドオーバ要求と共にＨｅＮＢ４００に送信する。
【０１４６】
ステップＳ２１２において、ＨｅＮＢ４００は、ｅＮＢ２００からのハンドオーバ要求に基づいて、当該ハンドオーバ要求を許可するか否かを判断する。詳細には、ＨｅＮＢ４００は、ｅＮＢ２００からの認証結果に関する情報が認証成功（Ｃｏｎｆｉｒｍｅｄ）を示すことに応じて、ｅＮＢ２００からのハンドオーバ要求を許可する。ここでは、当該ハンドオーバ要求を許可すると仮定して説明を進める。
【０１４７】
ステップＳ２１３において、ＨｅＮＢ４００は、ハンドオーバ要求に対する肯定応答（Ｈ．Ｏ．  Ｒｅｑｕｅｓｔ  Ａｃｋ）をＸ２インターフェイス上でｅＮＢ２００に送信する。
【０１４８】
ステップＳ２１４において、ｅＮＢ２００は、ＨｅＮＢ４００から肯定応答を受信したことに応じて、ＣＳＧセルへのハンドオーバの指示（Ｈ．Ｏ．  Ｃｏｍｍａｎｄ）をＵＥ１００に送信する。
【０１４９】
（３．５）動作シーケンス４
次に、移動通信システムの動作シーケンス４を説明する。本シーケンスは、動作シーケンス３と同様のシーケンスであるが、事前認証を行う前に、ＣＳＧセルへのハンドオーバを行うと判断されたケースを説明する。図１２は、動作シーケンス４のシーケンス図である。
【０１５０】
図１２に示すように、動作シーケンス４では、ステップＳ２５１からステップＳ２５６が行われずに、ＣＳＧセルへのハンドオーバを行うと判断される。よって、ステップＳ２５７以降の動作を説明する。
【０１５１】
ステップＳ２５７において、ＵＥ１００は、ＨｅＮＢ４００からの報知情報をＢＣＣＨ上で受信する。報知情報は、ＣＧＩ、ＴＡＩ、及びＣＳＧ  ＩＤを含む。
【０１５２】
ステップＳ２５８において、ＵＥ１００は、ＣＧＩ、ＴＡＩ、ＣＳＧ  ＩＤ、及びＭｅｍｂｅｒｓｈｉｐ  ｓｔａｔｕｓを含む測定報告をｅＮＢ２００に送信する。
【０１５３】
ステップＳ２５９において、ｅＮＢ２００は、図８のフローにより、ＣＳＧセルへのＵＥ１００のハンドオーバを行うと判断する。
【０１５４】
ステップＳ２６０において、ｅＮＢ２００は、事前認証が実施されていないことを確認する。
【０１５５】
ステップＳ２６１において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。当該ハンドオーバ要求は、Ｍｅｍｂｅｒｓｈｉｐ  ｓｔａｔｕｓと、ＭＭＥ３００からの認証結果に関する情報（ＣＳＧ  Confirｍｅｄ  Ｉｎｆｏｒｍａｔｉｏｎ）を含む。当該認証結果に関する情報は、例えば、認証成功（Ａｃｋ）を示す認証結果が得られているか（Ｃｏｎｆｉｒｍｅｄ）否かを示す。
【０１５６】
ステップＳ２６２において、ＨｅＮＢ４００は、ｅＮＢ２００からのハンドオーバ要求に基づいて、当該ハンドオーバ要求を許可するか否かを判断する。詳細には、ＨｅＮＢ４００は、ｅＮＢ２００からの認証結果に関する情報が認証成功（Ｃｏｎｆｉｒｍｅｄ）を示すことに応じて、ｅＮＢ２００からのハンドオーバ要求を許可する。ここでは、ｅＮＢ２００からの認証結果に関する情報が認証成功（Ｃｏｎｆｉｒｍｅｄ）を示していないと仮定して説明を進める。
【０１５７】
ステップＳ２６３において、ＨｅＮＢ４００は、ＵＥ１００の認証要求（ＣＳＧ  ｖｅｒｉｆｉｃａｔｉｏｎ  ｒｅｑｕｅｓｔ）をＳ１インターフェイス上でＭＭＥ３００に送信する。認証要求は、当該ＣＳＧセルのＣＳＧ  ＩＤ及びＵＥ１００の識別情報を含む。
【０１５８】
ステップＳ２６４において、ＭＭＥ３００は、認証結果を示す応答（ＣＳＧ  ｖｅｒｉｆｉｃａｔｉｏｎ  ｒｅｓｐｏｎｓｅ）をＳ１インターフェイス上でＨｅＮＢ４００に送信する。ここでは、当該応答が認証成功（Ａｃｋ）を示すと仮定して説明を進める。
【０１５９】
ステップＳ２６５において、ＨｅＮＢ４００は、認証成功（Ａｃｋ）に応じて、ハンドオーバ要求に対する肯定応答（Ｈ．Ｏ．  Ｒｅｑｕｅｓｔ  Ａｃｋ）をＸ２インターフェイス上でｅＮＢ２００に送信する。
【０１６０】
ステップＳ２６６において、ｅＮＢ２００は、ＨｅＮＢ４００から肯定応答を受信したことに応じて、ＣＳＧセルへのハンドオーバの指示（Ｈ．Ｏ．  Ｃｏｍｍａｎｄ）をＵＥ１００に送信する。
【０１６１】
（４）実施形態のまとめ
以上説明したように、ＣＳＧセルを形成するＨｅＮＢ４００と、ＣＳＧセルへのＵＥ１００のハンドオーバを行うか否かを判断するｅＮＢ２００と、ＣＳＧセルへのアクセス権についてＵＥ１００の認証を行うＭＭＥ３００と、を含む移動通信システムにおいて、ｅＮＢ２００は、ＣＳＧセルへのハンドオーバを行うと判断する前において、ＵＥ１００の認証をＭＭＥ３００に要求する。
【０１６２】
このように、ハンドオーバ手順よりも前の段階でＭＭＥ３００がＵＥ１００の認証（すなわち、事前認証）を行うことによって、ハンドオーバ手順の過程において、ＭＭＥ３００によるＵＥ１００の認証を省略することができる。また、ハンドオーバ手順においてＭＭＥ３００を経由せずにｅＮＢ２００からＨｅＮＢ４００へハンドオーバ要求を送信することができるため、ＭＭＥ３００へのシグナリングを削減できる。
【０１６３】
本実施形態では、ｅＮＢ２００は、ＭＭＥ３００から得られた認証結果を保持する。そして、ｅＮＢ２００は、ＵＥ１００からの測定報告に基づいてＣＳＧセルへのハンドオーバを行うと判断した場合で、かつ、ＭＭＥ３００から認証成功を示す認証結果が得られている場合に、ハンドオーバ要求をＨｅＮＢ４００に送信する。
【０１６４】
このように、ＣＳＧセルへのハンドオーバを行うと判断した際に、事前認証によってＭＭＥ３００から認証成功を示す認証結果が得られていれば、ハンドオーバ要求を直接的に（すなわち、Ｘ２インターフェイス上で）ＨｅＮＢ４００に送信することで、速やかにＣＳＧセルへのハンドオーバを行うことができる。
【０１６５】
本実施形態では、ｅＮＢ２００は、ＵＥ１００からの測定報告に基づいてＣＳＧセルへのハンドオーバを行うと判断した場合で、かつ、ＭＭＥ３００から認証成功を示す認証結果が得られていない場合に、ＵＥ１００の認証をＭＭＥ３００に要求する。
【０１６６】
このように、ＣＳＧセルへのハンドオーバを行うと判断した際に、事前認証によってＭＭＥ３００から認証成功を示す認証結果が得られていなければ、ＵＥ１００の認証をＭＭＥ３００に要求することで、ＣＳＧセルへのハンドオーバを可能な状態にすることができる。
【０１６７】
本実施形態では、ｅＮＢ２００は、ＵＥ１００からの測定報告に基づいてＣＳＧセルへのハンドオーバを行うと判断した場合に、ＭＭＥ３００からの認証結果に関する情報をハンドオーバ要求と共にＨｅＮＢ４００に送信する。
【０１６８】
このように、ＭＭＥ３００からの認証結果に関する情報をハンドオーバ要求と共にＨｅＮＢ４００に送信することによって、ＨｅＮＢ４００は、当該認証結果に関する情報に基づいて、当該ハンドオーバ要求を許可するか否かを判断することができる。
【０１６９】
本実施形態では、ＨｅＮＢ４００は、ｅＮＢ２００からの認証結果に関する情報が認証成功を示すことに応じて、ｅＮＢ２００からのハンドオーバ要求を許可する。
【０１７０】
このように、ＨｅＮＢ４００は、ＵＥ１００の正当性を確認した上で、ｅＮＢ２００からのハンドオーバ要求を許可することができる。
【０１７１】
本実施形態では、ＨｅＮＢ４００は、ｅＮＢ２００からの認証結果に関する情報が認証失敗を示すことに応じて、ＵＥ１００の認証をＭＭＥ３００に要求する。
【０１７２】
このように、ＨｅＮＢ４００は、ＵＥ１００の正当性を確認できなければ、ＵＥ１００の認証をＭＭＥ３００に要求することで、ＣＳＧセルへのハンドオーバを可能な状態にすることができる。
【０１７３】
［第２実施形態］
次に、第２実施形態に係る移動通信システムについて、説明する。なお、上述した第１実施形態と異なる部分を中心に説明し、同様の部分は、説明を適宜省略する。
【０１７４】
上述した第１実施形態では、ｅＮＢ２００が、ＵＥ１００の認証をＭＭＥ３００に要求したが、本実施形態では、ＨｅＮＢ４００が、ＵＥ１００の認証をＭＭＥ３００に要求する。
【０１７５】
以下において、（１）ブロック構成、（２）動作、（３）実施形態のまとめの順に説明する。
【０１７６】
（１）ブロック構成
以下において、本実施形態に係るｅＮＢ２００、ＭＭＥ３００、及びＨｅＮＢ４００のそれぞれのブロック構成を説明する。
【０１７７】
（１．１）ｅＮＢ
本実施形態では、制御部２４０は、ＣＳＧセルへのハンドオーバを行うと判断する前において、ＵＥ１００から受信する測定報告に基づいて、ＣＳＧセル及びＵＥ１００のそれぞれの情報をＨｅＮＢ４００に通知する。詳細には、制御部２４０は、ＣＳＧセル及びＵＥ１００のそれぞれの情報を含む端末認証メッセージをＸ２インターフェイス上でＨｅＮＢ４００に送信するようネットワーク通信部２２０を制御する。ここで、ＣＳＧセルの情報とは、例えば、アクセスモード（ＣＳＧ／ハイブリッド）及びＣＳＧ  ＩＤである。また、ＵＥ１００の情報とは、ＵＥ１００の識別情報であり、例えばＲＮＴＩ（Ｒａｄｉｏ  Ｎｅｔｗｏｒｋ  Ｔｅｍｐｏｒａｒｙ  ＩＤ）である。
【０１７８】
また、制御部２４０は、ＣＳＧセルへのハンドオーバを行うと判断した場合に、ハンドオーバ要求をＸ２インターフェイス上でＨｅＮＢ４００に送信するようネットワーク通信部２２０を制御する。そして、制御部２４０は、当該ハンドオーバ要求に対する肯定応答（Ｈ．Ｏ．  Ｒｅｑｕｅｓｔ  Ａｃｋ）をＨｅＮＢ４００からネットワーク通信部２２０が受信した場合に、当該ＣＳＧセルへのハンドオーバの指示（Ｈ．Ｏ．  Ｃｏｍｍａｎｄ）をＵＥ１００に送信するよう無線送受信部２１０を制御する。
【０１７９】
（１．２）ＭＭＥ
本実施形態において、ＨｅＮＢ４００からの端末認証要求メッセージをＳ１インターフェイス上でネットワーク通信部３１０が受信すると、制御部３３０は、当該端末認証要求メッセージに含まれるＣＳＧ  ＩＤ、アクセスモード、及びＵＥ１００の識別情報と、記憶部３２０に記憶されているＣＳＧ加入者情報とに基づいて、当該ＵＥ１００の認証を行う。
【０１８０】
端末認証要求メッセージに含まれるＣＳＧ  ＩＤ及びＵＥ１００の識別情報がＣＳＧ加入者情報において対応付けられている場合、制御部３３０は、認証成功と判断し、認証成功を示す端末認証応答をＳ１インターフェイス上でＨｅＮＢ４００に送信するようネットワーク通信部３１０を制御する。当該端末認証応答は、ＣＳＧ  ＩＤと、ＵＥ１００がＣＳＧメンバーであるか否かを示すステータス情報（Ｍｅｍｂｅｒｓｈｉｐ  ｓｔａｔｕｓ）と、を含む。
【０１８１】
なお、端末認証要求メッセージに含まれるＣＳＧ  ＩＤ及びＵＥ１００の識別情報がＣＳＧ加入者情報において対応付けられていない場合、制御部３３０は、認証失敗と判断し、認証失敗を示す端末認証応答を送信するようネットワーク通信部３１０を制御する。
【０１８２】
（１．３）ＨｅＮＢ
本実施形態において、制御部４４０は、ｅＮＢ２００からの端末認証メッセージをＸ２インターフェイス上でネットワーク通信部４２０が受信すると、当該端末認証メッセージに基づいて、上述した端末認証要求メッセージをＳ１インターフェイス上でＭＭＥ３００に送信するようネットワーク通信部４２０を制御する。
【０１８３】
当該端末認証メッセージに応じて、認証結果を示す端末認証応答をＳ１インターフェイス上でＭＭＥ３００からネットワーク通信部４２０が受信すると、制御部４４０は、当該認証結果を保持するよう記憶部４３０を制御する。
【０１８４】
その後、ｅＮＢ２００からのハンドオーバ要求をＸ２インターフェイス上でネットワーク通信部４２０が受信すると、制御部４４０は、記憶部４３０に保持されている認証結果に基づいて、当該ハンドオーバ要求を許可するか否かを判断する。
【０１８５】
制御部４４０は、当該ハンドオーバ要求を許可すると判断すると、当該ハンドオーバ要求に対する肯定応答（Ｈ．Ｏ．  Ｒｅｑｕｅｓｔ  Ａｃｋ）をＸ２インターフェイス上でｅＮＢ２００に送信するようネットワーク通信部４２０を制御する。
【０１８６】
なお、制御部４４０は、当該ハンドオーバ要求を拒否すると判断すると、当該ハンドオーバ要求に対する否定応答（Ｈ．Ｏ．  Ｒｅｑｕｅｓｔ  Ｎａｃｋ）をＸ２インターフェイス上でｅＮＢ２００に送信するようネットワーク通信部４２０を制御する。
【０１８７】
（２）動作
以下において、本実施形態に係る移動通信システムの動作を説明する。
【０１８８】
（２．１）動作シーケンス
図１３は、本実施形態に係る移動通信システムの動作シーケンス図である。本シーケンスでは、ＵＥ１００が定期的（ｐｅｒｉｏｄｉｃ）に測定報告を送信する場合の動作を説明する。
【０１８９】
図１３に示すように、ステップＳ３０１において、ＵＥ１００は、ＨｅＮＢ４００からの報知情報をＢＣＣＨ（Ｂｒｏａｄｃａｓｔ  Ｃｏｎｔｒｏｌ  Ｃｈａｎｎｅｌ）上で受信する。報知情報は、ＣＧＩ、ＴＡＩ、及びＣＳＧ  ＩＤを含む。
【０１９０】
ステップＳ３０２において、ＵＥ１００は、ＣＧＩ、ＴＡＩ、ＣＳＧ  ＩＤ、及びＭｅｍｂｅｒ  Ｉｎｄｉｃａｔｉｏｎを含む測定報告をｅＮＢ２００に送信する。
【０１９１】
ステップＳ３０３において、ｅＮＢ２００は、ＵＥ１００からの測定報告に基づいて、ＣＳＧセルへのＵＥ１００のハンドオーバを行うか否かを判断する。ここでは、ｅＮＢ２００がＣＳＧセルへのＵＥ１００のハンドオーバを行わないと判断したと仮定して説明を進める。ｅＮＢ２００は、ＵＥ１００からの測定報告に基づいて、端末認証メッセージをＸ２インターフェイス上でＨｅＮＢ４００に送信する。端末認証メッセージは、ＣＳＧ  ＩＤ及びアクセスモードを含む。また、端末認証メッセージは、ＵＥ１００の識別情報を含む。
【０１９２】
ステップＳ３０４において、ＨｅＮＢ４００は、ｅＮＢ２００からの端末認証メッセージに基づいて、ＵＥ１００の認証を行う。例えば、ＨｅＮＢ４００は、端末認証メッセージに含まれるＣＳＧ  ＩＤが自身（ＨｅＮＢ４００）のＣＳＧセルのＣＳＧ  ＩＤと一致するか否かを確認する。ここでは、当該認証に成功したと仮定して説明を進める。
【０１９３】
ステップＳ３０５において、ＨｅＮＢ４００は、ｅＮＢ２００からの端末認証メッセージに基づいて、端末認証要求メッセージをＳ１インターフェイス上でＭＭＥ３００に送信する。端末認証要求メッセージは、ＣＳＧ  ＩＤ、アクセスモード、及びＵＥ１００の識別情報を含む。
【０１９４】
ステップＳ３０６において、ＭＭＥ３００は、ＨｅＮＢ４００からの端末認証要求メッセージに含まれるＣＳＧ  ＩＤ、アクセスモード、及びＵＥ１００の識別情報と、予め記憶しているＣＳＧ加入者情報とに基づいて、ＵＥ１００の事前認証、すなわち、ＵＥ１００がメンバーＵＥであるか否かの確認を行う。
【０１９５】
ステップＳ３０７において、ＭＭＥ３００は、ステップＳ３０６での認証結果を示す端末認証応答をＳ１インターフェイス上でＨｅＮＢ４００に送信する。当該端末認証応答は、ＣＳＧ  ＩＤと、ＵＥ１００がＣＳＧメンバーであるか否かを示すステータス情報（Ｍｅｍｂｅｒｓｈｉｐ  ｓｔａｔｕｓ）と、を含む。ＨｅＮＢ４００は、ＭＭＥ３００からの端末認証応答を受信すると、当該端末認証応答を事前認証の認証結果として保持する。
【０１９６】
ステップＳ３０８において、ＵＥ１００は、ＣＧＩ、ＴＡＩ、ＣＳＧ  ＩＤ、及びＭｅｍｂｅｒ  Ｉｎｄｉｃａｔｉｏｎを含む測定報告をｅＮＢ２００に送信する。
【０１９７】
ステップＳ３０９において、ｅＮＢ２００は、ＵＥ１００からの測定報告に基づいて、ＣＳＧセルへのＵＥ１００のハンドオーバを行うか否かを判断する。ここでは、ｅＮＢ２００がＣＳＧセルへのＵＥ１００のハンドオーバを行わないと判断したと仮定して説明を進める。ｅＮＢ２００は、ＵＥ１００からの測定報告に基づいて、端末認証メッセージをＸ２インターフェイス上でＨｅＮＢ４００に送信する。端末認証メッセージは、ＣＳＧ  ＩＤ及びアクセスモードを含む。また、端末認証メッセージは、ＵＥ１００の識別情報を含む。
【０１９８】
ＨｅＮＢ４００は、ｅＮＢ２００からの端末認証メッセージを受信すると、既に事前認証結果を保持していることから、当該端末認証メッセージを無視する。
【０１９９】
ステップＳ３１０において、ＵＥ１００は、ＣＧＩ、ＴＡＩ、ＣＳＧ  ＩＤ、及びＭｅｍｂｅｒ  Ｉｎｄｉｃａｔｉｏｎを含む測定報告をｅＮＢ２００に送信する。
【０２００】
ステップＳ３１１において、ｅＮＢ２００は、ＵＥ１００からの測定報告に基づいて、ＣＳＧセルへのＵＥ１００のハンドオーバを行うか否かを判断する。ここでは、ｅＮＢ２００がＣＳＧセルへのＵＥ１００のハンドオーバを行うと判断したと仮定して説明を進める。ハンドオーバを行うと判断した時点から、ハンドオーバ手順における準備段階（Ｈ．Ｏ．  Ｐｒｅｐａｒａｔｉｏｎ）が開始する。
【０２０１】
ステップＳ３１２において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。
【０２０２】
ステップＳ３１３において、ＨｅＮＢ４００は、ステップＳ３０７で得られた事前認証結果を参照し、ｅＮＢ２００からのハンドオーバ要求を許可するか否かを判断する。詳細には、ＨｅＮＢ４００は、ステップＳ３０７で得られた事前認証結果が認証成功を示すことに応じて、当該ハンドオーバ要求を許可すると判断する。ＨｅＮＢ４００は、ステップＳ３０７で得られた事前認証結果が認証失敗を示すことに応じて、当該ハンドオーバ要求を拒否すると判断する。ここでは、ＨｅＮＢ４００が当該ハンドオーバ要求を許可すると判断したと仮定して説明を進める。
【０２０３】
ステップＳ３１４において、ＨｅＮＢ４００は、ｅＮＢ２００からのハンドオーバ要求に対する肯定応答（Ｈ．Ｏ．  Ｒｅｑｕｅｓｔ  Ａｃｋ）をＸ２インターフェイス上でｅＮＢ２００に送信する。
【０２０４】
ステップＳ３１５において、ｅＮＢ２００は、ＨｅＮＢ４００からの肯定応答（Ｈ．Ｏ．  Ｒｅｑｕｅｓｔ  Ａｃｋ）に応じて、ＣＳＧセルへのハンドオーバの指示（Ｈ．Ｏ．  Ｃｏｍｍａｎｄ）をＵＥ１００に送信する。
【０２０５】
（２．２）ＨｅＮＢの動作
図１４は、ＨｅＮＢ４００の動作フロー図である。本フローでは、ＨｅＮＢ４００は、端末認証タイマを使用して事前認証結果を管理する。
【０２０６】
図１４に示すように、ステップＳ４００において、ＨｅＮＢ４００は、ｅＮＢ２００からの端末認証メッセージを受信したか否かを確認する。
【０２０７】
ｅＮＢ２００からの端末認証メッセージを受信しない場合（ステップＳ４００；Ｎｏ）、ステップＳ４０１において、ＨｅＮＢ４００は、端末認証タイマが満了したか否かを確認する。端末認証タイマが満了した場合（ステップＳ４０１；Ｙｅｓ）、ステップＳ４０２において、ＨｅＮＢ４００は、保持している事前認証結果を破棄（クリア）する。
【０２０８】
一方、ｅＮＢ２００からの端末認証メッセージを受信した場合（ステップＳ４００；Ｙｅｓ）、ステップＳ４０３において、ＨｅＮＢ４００は、事前認証結果を保持しているか否かを確認する。未だ事前認証を実施していない場合、又は、既に事前認証を実施したもののタイムアウトにより事前認証結果を破棄している場合には、ＨｅＮＢ４００は、事前認証結果を保持していないことになる。
【０２０９】
事前認証結果を保持している場合（ステップＳ４０３；Ｎｏ）、ステップＳ４０４において、ＨｅＮＢ４００は、端末認証タイマをリセットする。
【０２１０】
これに対し、事前認証結果を保持していない場合（ステップＳ４０３；Ｙｅｓ）、ステップＳ４０５において、ＨｅＮＢ４００は、上述した端末認証要求メッセージをＭＭＥ３００に送信する。そして、ＨｅＮＢ４００は、端末認証タイマを起動し（ステップＳ４０６）、ＭＭＥ３００からの事前認証結果を受信及び保持する（ステップＳ４０７）。
【０２１１】
（３）実施形態のまとめ
以上説明したように、ＣＳＧセルを形成するＨｅＮＢ４００と、ＣＳＧセルへのＵＥ１００のハンドオーバを行うか否かを判断するｅＮＢ２００と、ＣＳＧセルへのアクセス権についてＵＥ１００の認証を行うＭＭＥ３００と、を含む移動通信システムにおいて、ＨｅＮＢ４００は、ＣＳＧセルへのハンドオーバを行うとｅＮＢ２００が判断する前において、ＵＥ１００の認証をＭＭＥ３００に要求する。
【０２１２】
このように、ハンドオーバ手順よりも前の段階でＭＭＥ３００がＵＥ１００の認証（すなわち、事前認証）を行うことによって、ハンドオーバ手順の過程において、ＭＭＥ３００によるＵＥ１００の認証を省略することができる。また、ハンドオーバ手順においてＭＭＥ３００が介在しないようにすることができるため、ＭＭＥ３００へのシグナリングを削減できる。
【０２１３】
本実施形態では、ｅＮＢ２００は、ＣＳＧセルへのハンドオーバを行うと判断する前において、ＵＥ１００から受信する測定報告に基づいて、ＣＳＧセル及びＵＥ１００のそれぞれの情報をＨｅＮＢ４００に通知する。ＨｅＮＢ４００は、ｅＮＢ２００から通知された情報に基づいて、ＵＥ１００の認証をＭＭＥ３００に要求する。
【０２１４】
このように、ハンドオーバ手順よりも前の段階で、事前認証に使用される情報をＨｅＮＢ４００に通知することによって、ＨｅＮＢ４００においてＵＥ１００の認証（事前認証）をＭＭＥ３００に適切に要求することができる。
【０２１５】
本実施形態では、ＨｅＮＢ４００が、ＭＭＥ３００から得られた認証結果を保持する。ｅＮＢ２００は、ＣＳＧセルへのハンドオーバを行うと判断した場合に、ハンドオーバ要求をＨｅＮＢ４００に送信する。ＨｅＮＢ４００は、保持されている認証結果に基づいて、ｅＮＢ２００からのハンドオーバ要求を許可するか否かを判断する。
【０２１６】
このように、ＣＳＧセルへのハンドオーバを行うと判断した際に、ハンドオーバ要求を直接的に（すなわち、Ｘ２インターフェイス上で）ＨｅＮＢ４００に送信し、ＨｅＮＢ４００は、事前認証の結果に基づいて、当該ハンドオーバ要求を許可するか否かを判断する。したがって、速やかにＣＳＧセルへのハンドオーバを行うことができる。
【０２１７】
［第３実施形態］
次に、第３実施形態に係る移動通信システムについて、説明する。なお、上述した第１実施形態及び第２実施形態と異なる部分を中心に説明し、同様の部分は、説明を適宜省略する。
【０２１８】
上述した第１実施形態では、ｅＮＢ２００が、ＵＥ１００の認証をＭＭＥ３００に要求したが、本実施形態では、ＨｅＮＢ ＧＷ５００が、ＵＥ１００の認証をＭＭＥ３００に要求する。
【０２１９】
以下において、（１）移動通信システムの概要、（２）ブロック構成、（３）動作、（４）実施形態のまとめの順に説明する。
【０２２０】
（１）移動通信システムの概要
図１５は、本実施形態に係る移動通信システムの構成図である。
【０２２１】
本実施形態では、ｅＮＢ２００は、論理的な通信路であるＸ２インターフェイス上でＨｅＮＢ ＧＷ５００との通信を行うことができる。Ｘ２インターフェイスは、本来は基地局間通信のためのインターフェイスである。しかしながら、本実施形態では、ｅＮＢ２００とＨｅＮＢ４００との間にＸ２インターフェイスを確立できないケースを想定しており、ｅＮＢ２００とＨｅＮＢ ＧＷ５００との間にＸ２インターフェイスを確立している。従って、ＨｅＮＢ ＧＷ５００は、Ｘ２インターフェイスによりｅＮＢ２００と接続されている。
【０２２２】
（２）ブロック構成
以下において、本実施形態に係るｅＮＢ２００、ＭＭＥ３００、及びＨｅＮＢ ＧＷ５００のそれぞれのブロック構成を説明する。
【０２２３】
（２．１）ｅＮＢ
ネットワーク通信部２２０は、Ｓ１インターフェイス上でＭＭＥ３００との通信を行う。また、本実施形態において、ネットワーク通信部２２０は、Ｘ２インターフェイス上でＨｅＮＢ ＧＷ５００との通信を行う。
【０２２４】
本実施形態では、制御部２４０は、ＣＳＧセルへのハンドオーバを行うと判断する前において、ＵＥ１００から受信する測定報告に基づいて、ＣＳＧセル及びＵＥ１００のそれぞれの情報をＨｅＮＢ ＧＷ５００に通知する。詳細には、制御部２４０は、ＣＳＧセル及びＵＥ１００のそれぞれの情報を含む端末認証メッセージをＸ２インターフェイス上でＨｅＮＢ ＧＷ５００に送信するようネットワーク通信部２２０を制御する。ここで、ＣＳＧセルの情報とは、例えば、アクセスモード（ＣＳＧ／ハイブリッド）及びＣＳＧ  ＩＤである。また、ＵＥ１００の情報とは、ＵＥ１００の識別情報であり、例えばＲＮＴＩ（Ｒａｄｉｏ  Ｎｅｔｗｏｒｋ  Ｔｅｍｐｏｒａｒｙ  ＩＤ）である。
【０２２５】
また、制御部２４０は、ＣＳＧセルへのハンドオーバを行うと判断した場合に、ハンドオーバ要求をＸ２インターフェイス上でＨｅＮＢ ＧＷ５００に送信するようネットワーク通信部２２０を制御する。そして、制御部２４０は、当該ハンドオーバ要求を送信した後、ＨｅＮＢ４００からのハンドオーバの指示（Ｈ．Ｏ．  Ｃｏｍｍａｎｄ）を受信すると、当該ＣＳＧセルへのハンドオーバの指示（Ｈ．Ｏ．  Ｃｏｍｍａｎｄ）をＵＥ１００に送信するよう無線送受信部２１０を制御する。
【０２２６】
ただし、制御部２４０は、当該ハンドオーバ要求を送信した後、ＨｅＮＢ４００からＨＥＮＢ  ＧＷ５００を介して受信するＨ．Ｏ．  Ｒｅｑｕｅｓｔ  Ａｃｋの受信に応じて、ＣＳＧセルへのハンドオーバの指示（Ｈ．Ｏ．  Ｃｏｍｍａｎｄ）をＵＥ１００に送信するよう無線送受信部２１０を制御してもよい。
【０２２７】
（２．２）ＭＭＥ
本実施形態において、ＨｅＮＢ ＧＷ５００からの端末認証要求メッセージをＳ１インターフェイス上でネットワーク通信部３１０が受信すると、制御部３３０は、当該端末認証要求メッセージに含まれるＣＳＧ  ＩＤ、アクセスモード、及びＵＥ１００の識別情報と、記憶部３２０に記憶されているＣＳＧ加入者情報とに基づいて、当該ＵＥ１００の認証を行う。
【０２２８】
端末認証要求メッセージに含まれるＣＳＧ  ＩＤ及びＵＥ１００の識別情報がＣＳＧ加入者情報において対応付けられている場合、制御部３３０は、認証成功と判断し、認証成功を示す端末認証応答をＳ１インターフェイス上でＨｅＮＢ ＧＷ５００に送信するようネットワーク通信部３１０を制御する。当該端末認証応答は、ＣＳＧ  ＩＤと、ＵＥ１００がＣＳＧメンバーであるか否かを示すステータス情報（Ｍｅｍｂｅｒｓｈｉｐ  ｓｔａｔｕｓ）と、を含む。
【０２２９】
なお、端末認証要求メッセージに含まれるＣＳＧ  ＩＤ及びＵＥ１００の識別情報がＣＳＧ加入者情報において対応付けられていない場合、制御部３３０は、認証失敗と判断し、認証失敗を示す端末認証応答を送信するようネットワーク通信部３１０を制御する。
【０２３０】
（２．３）ＨｅＮＢ ＧＷ
ネットワーク通信部５１０は、Ｓ１インターフェイス上でＭＭＥ３００及びＨｅＮＢ４００との通信を行う。また、本実施形態において、ネットワーク通信部５１０は、Ｘ２インターフェイス上でｅＮＢ２００との通信を行う。
【０２３１】
制御部５３０は、ｅＮＢ２００からの端末認証メッセージをＸ２インターフェイス上でネットワーク通信部５１０が受信すると、当該端末認証メッセージに基づいて、上述した端末認証要求メッセージをＳ１インターフェイス上でＭＭＥ３００に送信するようネットワーク通信部５１０を制御する。
【０２３２】
当該端末認証メッセージに応じて、認証結果を示す端末認証応答をＳ１インターフェイス上でＭＭＥ３００からネットワーク通信部５１０が受信すると、制御部５３０は、当該認証結果を保持するよう記憶部５２０を制御する。
【０２３３】
その後、ｅＮＢ２００からのハンドオーバ要求をＸ２インターフェイス上でネットワーク通信部５１０が受信すると、制御部５３０は、記憶部５２０に保持されている認証結果に基づいて、当該ハンドオーバ要求を許可するか否かを判断する。
【０２３４】
制御部５３０は、当該ハンドオーバ要求を許可すると判断すると、ハンドオーバ要求をＳ１インターフェイス上でＨｅＮＢ  ＧＷ５００に送信するようネットワーク通信部５１０を制御する。
【０２３５】
（３）動作
以下において、本実施形態に係る移動通信システムの動作を説明する。
【０２３６】
（３．１）動作シーケンス
図１６は、本実施形態に係る移動通信システムの動作シーケンス図である。本シーケンスでは、ＵＥ１００が定期的（ｐｅｒｉｏｄｉｃ）に測定報告を送信する場合の動作を説明する。
【０２３７】
図１６に示すように、ステップＳ５０１において、ＵＥ１００は、ＨｅＮＢ４００からの報知情報をＢＣＣＨ（Ｂｒｏａｄｃａｓｔ  Ｃｏｎｔｒｏｌ  Ｃｈａｎｎｅｌ）上で受信する。報知情報は、ＣＧＩ、ＴＡＩ、及びＣＳＧ  ＩＤを含む。
【０２３８】
ステップＳ５０２において、ＵＥ１００は、ＣＧＩ、ＴＡＩ、ＣＳＧ  ＩＤ、及びＭｅｍｂｅｒ  Ｉｎｄｉｃａｔｉｏｎを含む測定報告をｅＮＢ２００に送信する。
【０２３９】
ステップＳ５０３において、ｅＮＢ２００は、ＵＥ１００からの測定報告に基づいて、ＣＳＧセルへのＵＥ１００のハンドオーバを行うか否かを判断する。ここでは、ｅＮＢ２００がＣＳＧセルへのＵＥ１００のハンドオーバを行わないと判断したと仮定して説明を進める。ｅＮＢ２００は、ＵＥ１００からの測定報告に基づいて、端末認証メッセージをＸ２インターフェイス上でＨｅＮＢ ＧＷ５００に送信する。端末認証メッセージは、ＣＳＧ  ＩＤ及びアクセスモードを含む。また、端末認証メッセージは、ＵＥ１００の識別情報を含む。
【０２４０】
ステップＳ５０４において、ＨｅＮＢ ＧＷ５００は、ｅＮＢ２００からの端末認証メッセージに基づいて、ＵＥ１００の認証を行う。例えば、ＨｅＮＢ ＧＷ５００は、端末認証メッセージに含まれるＣＳＧ  ＩＤが自身（ＨｅＮＢ ＧＷ５００）の管理下にあるＨｅＮＢ４００のＣＳＧセルのＣＳＧ  ＩＤと一致するか否かを確認する。ここでは、当該認証に成功したと仮定して説明を進める。
【０２４１】
ステップＳ５０５において、ＨｅＮＢ ＧＷ５００は、ｅＮＢ２００からの端末認証メッセージに基づいて、端末認証要求メッセージをＳ１インターフェイス上でＭＭＥ３００に送信する。端末認証要求メッセージは、ＣＳＧ  ＩＤ、アクセスモード、及びＵＥ１００の識別情報を含む。
【０２４２】
ステップＳ５０６において、ＭＭＥ３００は、ＨｅＮＢ ＧＷ５００からの端末認証要求メッセージに含まれるＣＳＧ  ＩＤ、アクセスモード、及びＵＥ１００の識別情報と、予め記憶しているＣＳＧ加入者情報とに基づいて、ＵＥ１００の事前認証、すなわち、ＵＥ１００がメンバーＵＥであるか否かの確認を行う。
【０２４３】
ステップＳ５０７において、ＭＭＥ３００は、ステップＳ５０６での認証結果を示す端末認証応答をＳ１インターフェイス上でＨｅＮＢ ＧＷ５００に送信する。当該端末認証応答は、ＣＳＧ  ＩＤと、ＵＥ１００がＣＳＧメンバーであるか否かを示すステータス情報（Ｍｅｍｂｅｒｓｈｉｐ  ｓｔａｔｕｓ）と、を含む。ＨｅＮＢ ＧＷ５００は、ＭＭＥ３００からの端末認証応答を受信すると、当該端末認証応答を事前認証の認証結果として保持する。
【０２４４】
ステップＳ５０８において、ＵＥ１００は、ＣＧＩ、ＴＡＩ、ＣＳＧ  ＩＤ、及びＭｅｍｂｅｒ  Ｉｎｄｉｃａｔｉｏｎを含む測定報告をｅＮＢ２００に送信する。
【０２４５】
ステップＳ５０９において、ｅＮＢ２００は、ＵＥ１００からの測定報告に基づいて、ＣＳＧセルへのＵＥ１００のハンドオーバを行うか否かを判断する。ここでは、ｅＮＢ２００がＣＳＧセルへのＵＥ１００のハンドオーバを行わないと判断したと仮定して説明を進める。ｅＮＢ２００は、ＵＥ１００からの測定報告に基づいて、端末認証メッセージをＸ２インターフェイス上でＨｅＮＢ ＧＷ５００に送信する。端末認証メッセージは、ＣＳＧ  ＩＤ及びアクセスモードを含む。また、端末認証メッセージは、ＵＥ１００の識別情報を含む。
【０２４６】
ＨｅＮＢ ＧＷ５００は、ｅＮＢ２００からの端末認証メッセージを受信すると、既に事前認証結果を保持していることから、当該端末認証メッセージを無視する。
【０２４７】
ステップＳ５１０において、ＵＥ１００は、ＣＧＩ、ＴＡＩ、ＣＳＧ  ＩＤ、及びＭｅｍｂｅｒ  Ｉｎｄｉｃａｔｉｏｎを含む測定報告をｅＮＢ２００に送信する。
【０２４８】
ステップＳ５１１において、ｅＮＢ２００は、ＵＥ１００からの測定報告に基づいて、ＣＳＧセルへのＵＥ１００のハンドオーバを行うか否かを判断する。ここでは、ｅＮＢ２００がＣＳＧセルへのＵＥ１００のハンドオーバを行うと判断したと仮定して説明を進める。ハンドオーバを行うと判断した時点から、ハンドオーバ手順における準備段階（Ｈ．Ｏ．  Ｐｒｅｐａｒａｔｉｏｎ）が開始する。
【０２４９】
ステップＳ５１２において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ ＧＷ５００に送信する。
【０２５０】
ステップＳ５１３において、ＨｅＮＢ ＧＷ５００は、ステップＳ５０７で得られた事前認証結果を参照し、ｅＮＢ２００からのハンドオーバ要求を許可するか否かを判断する。詳細には、ＨｅＮＢ ＧＷ５００は、ステップＳ５０７で得られた事前認証結果が認証成功を示すことに応じて、当該ハンドオーバ要求を許可すると判断する。ＨｅＮＢ ＧＷ５００は、ステップＳ５０７で得られた事前認証結果が認証失敗を示すことに応じて、当該ハンドオーバ要求を拒否すると判断する。ここでは、ＨｅＮＢ ＧＷ５００が当該ハンドオーバ要求を許可すると判断したと仮定して説明を進める。
【０２５１】
ステップＳ５１４において、ＨｅＮＢ ＧＷ５００は、ＣＳＧセルへのハンドオーバのためのハンドオーバ要求をＳ１インターフェイス上でＨｅＮＢ４００に送信する。当該ハンドオーバ要求は、当該ＣＳＧセルのＣＳＧ  ＩＤ、及びＵＥ１００が当該ＣＳＧセルのメンバーＵＥであるか否かのステータス情報（Ｍｅｍｂｅｒｓｈｉｐ  Ｓｔａｔｕｓ）を含む。
【０２５２】
ステップＳ５１５において、ＨｅＮＢ４００は、ＨｅＮＢ ＧＷ５００からのハンドオーバ要求に応じて、ＣＳＧセルへの受け入れを決定し、当該ＣＳＧセルへのハンドオーバの指示（Ｈ．Ｏ．  Ｃｏｍｍａｎｄ）をｅＮＢ２００に送信する。
【０２５３】
ステップＳ５１６において、ｅＮＢ２００は、ＨｅＮＢ４００からのハンドオーバ指示（Ｈ．Ｏ．  Ｃｏｍｍａｎｄ）に応じて、ＣＳＧセルへのハンドオーバの指示（Ｈ．Ｏ．  Ｃｏｍｍａｎｄ）をＵＥ１００に送信する。
【０２５４】
なお、ステップＳ５１５においては、ＨｅＮＢ４００は、ハンドオーバの指示（Ｈ．Ｏ．  Ｃｏｍｍａｎｄ）をｅＮＢ２００に直接的に送信することに代えて、Ｈ．Ｏ．  Ｒｅｑｕｅｓｔ  ＡｃｋをＨＥＮＢ  ＧＷ５００経由でｅＮＢ２００に送信してもよい。この場合、ステップＳ５１６において、ｅＮＢ２００は、ＨｅＮＢ４００からのＨ．Ｏ．  Ｒｅｑｕｅｓｔ  Ａｃｋに応じて、ＣＳＧセルへのハンドオーバの指示（Ｈ．Ｏ．  Ｃｏｍｍａｎｄ）をＵＥ１００に送信する。
【０２５５】
（３．２）ＨｅＮＢの動作
図１７は、ＨｅＮＢ ＧＷ５００の動作フロー図である。本フローでは、ＨｅＮＢ ＧＷ５００は、端末認証タイマを使用して事前認証結果を管理する。
【０２５６】
図１７に示すように、ステップＳ６００において、ＨｅＮＢ ＧＷ５００は、ｅＮＢ２００からの端末認証メッセージを受信したか否かを確認する。
【０２５７】
ｅＮＢ２００からの端末認証メッセージを受信しない場合（ステップＳ６００；Ｎｏ）、ステップＳ６０１において、ＨｅＮＢ ＧＷ５００は、端末認証タイマが満了したか否かを確認する。端末認証タイマが満了した場合（ステップＳ６０１；Ｙｅｓ）、ステップＳ６０２において、ＨｅＮＢ ＧＷ５００は、保持している事前認証結果を破棄（クリア）する。
【０２５８】
一方、ｅＮＢ２００からの端末認証メッセージを受信した場合（ステップＳ６００；Ｙｅｓ）、ステップＳ６０３において、ＨｅＮＢ ＧＷ５００は、事前認証結果を保持しているか否かを確認する。未だ事前認証を実施していない場合、又は、既に事前認証を実施したもののタイムアウトにより事前認証結果を破棄している場合には、ＨｅＮＢ ＧＷ５００は、事前認証結果を保持していないことになる。
【０２５９】
事前認証結果を保持している場合（ステップＳ６０３；Ｎｏ）、ステップＳ６０４において、ＨｅＮＢ ＧＷ５００は、端末認証タイマをリセットする。
【０２６０】
これに対し、事前認証結果を保持していない場合（ステップＳ６０３；Ｙｅｓ）、ステップＳ６０５において、ＨｅＮＢ ＧＷ５００は、上述した端末認証要求メッセージをＭＭＥ３００に送信する。そして、ＨｅＮＢ ＧＷ５００は、端末認証タイマを起動し（ステップＳ６０６）、ＭＭＥ３００からの事前認証結果を受信及び保持する（ステップＳ６０７）。
【０２６１】
（４）実施形態のまとめ
以上説明したように、ＣＳＧセルを形成するＨｅＮＢ４００と、ＣＳＧセルへのＵＥ１００のハンドオーバを行うか否かを判断するｅＮＢ２００と、ＣＳＧセルへのアクセス権についてＵＥ１００の認証を行うＭＭＥ３００と、ＨｅＮＢ４００を管理するＨｅＮＢ ＧＷ５００と、を含む移動通信システムにおいて、ＨｅＮＢ ＧＷ５００は、ＣＳＧセルへのハンドオーバを行うとｅＮＢ２００が判断する前において、ＵＥ１００の認証をＭＭＥ３００に要求する。
【０２６２】
このように、ハンドオーバ手順よりも前の段階でＭＭＥ３００がＵＥ１００の認証（すなわち、事前認証）を行うことによって、ハンドオーバ手順の過程において、ＭＭＥ３００によるＵＥ１００の認証を省略することができる。また、ハンドオーバ手順においてＭＭＥ３００が介在しないようにすることができるため、ＭＭＥ３００へのシグナリングを削減できる。
【０２６３】
本実施形態では、ｅＮＢ２００は、ＣＳＧセルへのハンドオーバを行うと判断する前において、ＵＥ１００から受信する測定報告に基づいて、ＣＳＧセル及びＵＥ１００のそれぞれの情報をＨｅＮＢ ＧＷ５００に通知する。ＨｅＮＢ ＧＷ５００は、ｅＮＢ２００から通知された情報に基づいて、ＵＥ１００の認証をＭＭＥ３００に要求する。
【０２６４】
このように、ハンドオーバ手順よりも前の段階で、事前認証に使用される情報をＨｅＮＢ ＧＷ５００に通知することによって、ＨｅＮＢ ＧＷ５００においてＵＥ１００の認証（事前認証）をＭＭＥ３００に適切に要求することができる。
【０２６５】
本実施形態では、ＨｅＮＢ ＧＷ５００が、ＭＭＥ３００から得られた認証結果を保持する。ｅＮＢ２００は、ＣＳＧセルへのハンドオーバを行うと判断した場合に、ハンドオーバ要求をＨｅＮＢ ＧＷ５００に送信する。ＨｅＮＢ ＧＷ５００は、保持されている認証結果に基づいて、ｅＮＢ２００からのハンドオーバ要求を許可するか否かを判断する。
【０２６６】
このように、ＣＳＧセルへのハンドオーバを行うと判断した際に、ハンドオーバ要求を直接的に（すなわち、Ｘ２インターフェイス上で）ＨｅＮＢ ＧＷ５００に送信し、ＨｅＮＢ ＧＷ５００は、事前認証の結果に基づいて、当該ハンドオーバ要求を許可するか否かを判断する。したがって、速やかにＣＳＧセルへのハンドオーバを行うことができる。
【０２６７】
［その他の実施形態］
上記のように、本発明は実施形態によって記載したが、この開示の一部をなす論述及び図面はこの発明を限定するものであると理解すべきではない。
【０２６８】
例えば、上述した実施形態では、ＣＳＧセルへのハンドオーバ手順を主として説明したが、ハイブリッドセルへのハンドオーバ手順に対して本発明を適用してもよい。
【０２６９】
なお、米国仮出願第６１／６１２０４９号（２０１２年３月１６日出願）、米国仮出願第６１／６１２００３号（２０１２年３月１６日出願）及び米国仮出願第６１／６１２０１４号（２０１２年３月１６日出願）の全内容が、参照により、本願明細書に組み込まれている。
【産業上の利用可能性】
【０２７０】
以上のように、本発明に係る通信制御方法、基地局、ホーム基地局及びゲートウェイ装置は、特定セルへのハンドオーバ手順を効率化することができるため、移動通信分野において有用である。
【図１】
2013137461.tif 000003
【図２】
2013137461.tif 000004
【図３】
2013137461.tif 000005
【図４】
2013137461.tif 000006
【図５】
2013137461.tif 000007
【図６】
2013137461.tif 000008
【図７】
2013137461.tif 000009
【図８】
2013137461.tif 000010
【図９】
2013137461.tif 000011
【図１０】
2013137461.tif 000012
【図１１】
2013137461.tif 000013
【図１２】
2013137461.tif 000014
【図１３】
2013137461.tif 000015
【図１４】
2013137461.tif 000016
【図１５】
2013137461.tif 000017
【図１６】
2013137461.tif 000018
【図１７】
2013137461.tif 000019
【国際調査報告】
2013137461.tif 000020
2013137461.tif 000021
2013137461.tif 000022
2013137461.tif 000023